(57)【特許請求の範囲】
【請求項１】
一方の端部が開口した開口端を有する尿袋を、尿器の開口端を経由して前記尿器の内部に挿入して使用する尿袋使用方法であって、
前記尿器の開口端の開口周長よりも大きな開口周長を有する前記尿袋を、前記尿器の内部に挿入し、前記尿袋の開口端を含む一部の部位を折り返し部として前記尿器の外部に残す、尿袋挿入ステップと、
前記折り返し部を、前記尿器の開口端に対して前記尿器の外表面側に折り返す、折り返しステップと、
前記折り返しステップ後の、前記尿器の外表面に相対する前記折り返し部の表面に、前記尿袋の開口端の周方向に沿って配置された、前記尿器の外表面に対して直接又は間接的に着脱可能に装着可能な少なくとも１箇所の装着対象部と、前記尿器の外表面に直接的にも間接的にも装着しない装着非対象部とを有する前記尿袋において、前記装着対象部を、直接又は間接的に、前記尿器の外表面に着脱可能に保持することにより、前記尿袋を前記尿器に装着する、尿袋装着ステップと、
を備え、
前記尿袋装着ステップに従って前記尿袋を前記尿器に装着することにより、前記尿器の内表面と前記尿器の内部に挿入された前記尿袋の外表面との間の空間と、前記尿器の外部とが、前記折り返し部の前記装着非対象部の表面と、該装着非対象部の表面に相対する前記尿器の外表面との間の空間を介して連通する連通経路が形成される、
ことを特徴とする尿袋使用方法。
【請求項２】
一方に開口した尿袋開口端を有し、尿器に装着して使用される尿袋であって、
前記尿袋が前記尿器内に挿入された状態で、前記尿器の開口端に対して前記尿器の外表面側に折り返す対象となる折り返し部と、
前記折り返し部を折り返したときに、前記尿器の外表面に相対する前記折り返し部の表面において、前記尿袋開口端の周方向に沿って、前記尿器の外表面に対して直接又は間接的に着脱可能に装着する少なくとも１箇所の装着部と、前記尿器の外表面に、直接的にも間接的にも装着しない非装着部とを備える、
ことを特徴とする尿袋。
【請求項３】
前記装着部は、前記尿器の外表面に対して着脱可能に接着する接着面を備える、
ことを特徴とする請求項２に記載の尿袋。
【請求項４】
前記装着部が、前記尿器の外表面に直接又は間接的に備えられた装着受け部に着脱可能に装着する装着性を備えている、
ことを特徴とする請求項２に記載の尿袋。
【請求項５】
前記折り返し部は、前記尿袋開口端の周上の少なくとも２箇所で、該尿袋開口端の一部を残して、前記折り返し部の長さよりも小さい範囲で、前記尿袋開口端から切り取られており、
前記装着部は、前記折り返し部のうち、切り取られていない部位に配置されている、
ことを特徴とする請求項２乃至４のいずれか1項に記載の尿袋。
【請求項６】
前記折り返し部は、前記装着部を含めて、その強度が補強された領域を有する、
ことを特徴とする請求項２乃至５のいずれか１項に記載の尿袋。
【請求項７】
直接又は間接的に尿器の外表面に備えられた、着脱可能に挟み込む機能を有する装着受け部を介して、前記尿器に着脱可能に装着される、一方に開口した尿袋開口端を有する尿袋であって、
前記尿袋が前記尿器内に挿入された状態で、前記尿袋開口端を介して、前記尿器の開口端に対して前記尿器の外表面側に折り返す対象となる折り返し部と、
前記折り返し部を折り返したときに、前記尿器の外表面に相対する前記折り返し部の表面に、前記尿袋開口端の周方向に沿って、前記装着受け部で挟み込まれることにより前記尿器の外表面に対して間接的に着脱可能に装着する、少なくとも１箇所の挟み込み部と、前記装着受け部で挟み込まれず、前記尿器の外表面に、直接的にも間接的にも装着しない非挟み込み部と、を備え、
前記折り返し部は、前記尿袋開口端の周上の少なくとも２箇所で、該尿袋開口端の一部を残して、前記折り返し部の長さよりも小さい範囲で、前記尿袋開口端から切り取られており、
前記挟み込み部は、前記尿袋開口端の周方向に隣り合う、少なくとも２箇所の前記切り取られている領域の間にある、切り取られていない部位に位置し、
前記非挟み込み部は、前記折り返し部の中の前記挟み込み部を除く部位に位置する、
ことを特徴とする尿袋。
【請求項８】
前記折り返し部の前記切り取られていない部位は、前記挟み込み部を含めて、その強度が補強された領域を有する、
ことを特徴とする請求項７に記載の尿袋。
【請求項９】
尿器の外表面に取り付けるための取り付け部と、
請求項２乃至６のいずれか１項に記載の尿袋の前記装着部、及び請求項７又は８に記載の尿袋の前記挟み込み部、のいずれか一方を着脱可能に装着する、前記取り付け部に設置された少なくとも１つの補助装着受け部と、
を備えることを特徴とする装着補助具。
【請求項１０】
前記取り付け部は、
前記尿器の開口端に続く外表面に取り付けるための第１の取り付け部、及び、
前記尿器の把手に取り付けるための第２の取り付け部の、少なくとも一方で構成されており、
前記補助装着受け部は、前記取り付け部を構成する前記第１の取り付け部又は前記第２の取り付け部の一方に設置されている、
ことを特徴とする請求項９に記載の装着補助具。
【請求項１１】
請求項２乃至６のいずれか１項に記載の尿袋の前記装着部、及び請求項７又は８に記載の尿袋の前記挟み込み部、のいずれか一方を着脱可能に装着する尿器装着受け部を、外表面に離散的に備える、
ことを特徴とする尿器。
【発明の詳細な説明】
【技術分野】
【０００１】
本発明は、尿袋を尿器に装着して使用する尿袋使用方法と、該尿袋使用方法に従って尿器に装着して使用される尿袋と、該尿袋を尿器に装着するために尿器に取り付ける装着補助具と、該尿袋を装着できる尿器に関する。
【背景技術】
【０００２】
尿器は、通常、体の不自由な人が排尿するときに使用される。尿器は、その使用後に、適宜、内部の洗浄、消毒、乾燥処理を行い、繰り返し使用される。そのため、尿器の洗浄処理に伴う作業は介護者の大きな負担となっている。
【０００３】
このような問題を解決するために特許文献１−３に係る発明では、尿瓶又は尿器に装着する尿袋や尿袋を装着する尿瓶又は尿器が提案されている。尿袋を使用することにより、尿瓶又は尿器の洗浄が不要になるという効果が得られる。
【０００４】
特許文献１では、図１〜３及び第４ページの段落００１３の第２行から第９行に、尿瓶本体−以下、尿器と呼ぶ−と、採尿受け部と、これらを接続する接続筒とが開示されている。接続筒は上部接続筒と下部接続筒とこれらを接続する薄肉の連結帯とで構成され、接続筒は、下部接続筒を尿器の首部の口に挿入することにより尿器に固定される。尿袋は、尿器の内部に収容され、その開口端部を上部接続筒の上端で折り返して上部接続筒と採尿受け部とで挟み締め止めされる。即ち、尿袋は、折り返した部位の全周を上部接続筒と採尿受け部とで挟み締め止めされる。連結帯は尿器に対して上部接続筒及びこれに取り付けられた採尿受け部の角度を調整できるようにするために設けられている。
【０００５】
特許文献２では、図１、図２及び第３ページの段落０００５から第４ページの段落０００９に、洩瓶−以下、尿器と呼ぶ−用尿袋が開示されている。この尿袋は、生分解性プラスチックシート製で全体が尿器内部に収納可能な大きさを有する袋本体と紐体とを備える。袋本体は、開口部がその開口端部を折り返して尿器の口の外周部に被せることができる程度の内径を有する。紐体は、袋本体と同一材料で形成され、尿器の口の外周部に被せた状態の袋本体の折り返した開口端部の外周部を締め付け可能な長さを有し、袋本体の開口端部を縛って尿が漏れないように、開口部を密封することができ、且つ、引っ張って袋本体を尿器から抜き取れるように袋本体の開口端部に取り付けられている。特許文献２に開示されている紐体付きの尿袋は、所謂巾着型である。
【０００６】
特許文献３では、図１、２及び第４ページの段落０００７に、尿収容袋−以下、尿袋と呼ぶ−を内装した尿器が開示されている。尿袋は樹脂フィルム等から成り、尿器の入り口部から内部に挿入され、尿器の入り口部の装着部に輪ゴムによりほぼ気密に装着される。尿器は、その上部に、尿袋の挿入された尿器内部に連通する空気孔が設けられている。尿袋が尿により膨らんだ際に尿器本体内の空気は、この空気孔を介して、外部に抜ける。
【先行技術文献】
【特許文献】
【０００７】
【特許文献１】特開２０１４−１００４４７号公報
【特許文献２】登録実用新案第３０６４１１５号公報
【特許文献３】実開平５−２９４９５号公報
【発明の概要】
【発明が解決しようとする課題】
【０００８】
特許文献１に開示されている発明では、尿袋は、その開口端部を折り返して上部接続筒と採尿受け部とで挟み締め止めし、更に、接続筒を尿器の首部の口に挿入することにより尿器に取り付けられる。そのため、尿袋を簡便に尿器に取り付けることができるとは言いがたい。また、採尿受け部には、尿袋を挟み締め止めする部位も含めて、採尿の際に尿が付着する。使用済みの尿袋を尿器から取り外して廃棄する際には、尿の付着した採尿受け部を手で触らなければならない。そのため、手への尿の付着を防止する為には、この廃棄作業の前後に、手袋の着脱という面倒な作業が発生する。また、尿袋の取り外しの際には採尿受け部に付着した尿が滴下若しくは飛散する恐れがあるため、それに伴う清掃が必要になることがある。更に採尿受け部の洗浄も必要になる。従って、特許文献１に記載の発明は、尿袋を簡便に尿器に着脱できるとは言いがたく、尿器の再利用に伴う作業の簡便化に十分に寄与しているとは言いがたい。
【０００９】
特許文献２に開示されている尿袋は、所謂巾着型であり、尿袋の折り返した部位の全周が尿器の口の外周部に対して紐体で締め付けられている。紐体は締め付けた後、徐々に緩んでくることがある。そのため、尿器に対する尿袋の装着は十分とは言いがたい。締め付け後の紐体を互いに縛ることにより、より強く尿器の口の外周部を締め付けて装着するという方法も考えられるが、縛るという余計な作業が必要である。更に紐体を縛る際に予期せずに固結びとなってしまう恐れもあるため、縛る際には注意が必要となり、その分作業が面倒になる。また、結果として固結びとなった場合は、尿袋を尿器から取り外す際に紐体をほどくという処理に時間がかかる。そのため、この尿袋は、尿器に対して、簡便に着脱可能に装着できるとは言いがたい。更に、尿袋に尿が貯まるにつれて尿器と尿袋との間の空気は逃げ場がなく、その圧力が上昇し、尿袋を圧迫する。その結果、尿器内に挿入されている尿袋は、その容量が有効に活用されず、尿袋に貯留できる尿量が小さくなるため、尿袋の交換頻度が高くなってしまう。この点においても、特許文献２に記載の尿袋は、尿器の再利用に伴う作業の簡便化に十分に寄与しているとは言いがたい。
【００１０】
特許文献３に開示されている発明では、尿袋を尿器に装着する際に、その都度、輪ゴムを準備する必要がある。また、尿袋は、その輪ゴムを、尿袋の折り返した部位の上から、尿器首部外表面に巻き付けて固定することにより、尿器に装着されるため、尿袋の装着は必ずしも簡便なものではない。更に、女性用の尿器はその首部が開口端に向かって広がっているため、この方法で尿袋を女性用の尿器に取り付けようとすると、尿袋の取り付けは容易ではなく、一旦取り付けたとしても、輪ゴムは尿器の首部の径の小さい方にずれていってしまい、尿袋を女性用の尿器に固定することは容易ではない。従って女性用の尿器にこの方法を適用することは容易ではない。また、使用後の尿袋を尿器から取り外す際には、尿器首部に巻き付けた輪ゴムを取り外す必要があり、この作業は簡単ではない。女性用の尿器の場合には特に困難を伴う。更に、尿が付着している恐れのある尿袋の折り返し位置を介して輪ゴムを取り外さなければならないため、輪ゴムを取り外す際に、手や輪ゴムに尿が付着する恐れがある。また、取り外しの際に輪ゴムがはじけて尿が飛散する恐れもある。そのため、尿袋の取り外し作業前後の手袋の着脱、作業時に尿が飛散しないようにするための注意、作業後の手洗いなどが必要になる。従って、特許文献３に開示されている発明においても、尿袋を尿器に簡便に着脱することは容易ではない。
【００１１】
本発明は、上記の事情に鑑みて、尿袋を、男性用及び女性用のいずれの尿器にも、これまでより簡便に着脱可能に装着でき、且つ尿器に装着された尿袋の容量を尿器の容量の範囲内で有効に活用でき、尿器の再利用に伴う作業がこれまでよりも簡便化されるような尿袋使用方法、尿袋、尿器に取り付けられる装着補助具、及び尿器を提供することを目的とする。
【課題を解決するための手段】
【００１２】
本発明の第１の観点に係る尿袋使用方法は、一方の端部が開口した開口端を有する尿袋を、尿器の開口端を経由して前記尿器の内部に挿入して使用する尿袋使用方法であって、前記尿器の開口端の開口周長よりも大きな開口周長を有する前記尿袋を、前記尿器の内部に挿入し、前記尿袋の開口端を含む一部の部位を折り返し部として前記尿器の外部に残す、尿袋挿入ステップと、前記折り返し部を、前記尿器の開口端に対して前記尿器の外表面側に折り返す、折り返しステップと、前記折り返しステップ後の、前記尿器の外表面に相対する前記折り返し部の表面に、前記尿袋の開口端の周方向に沿って配置された、前記尿器の外表面に対して直接又は間接的に着脱可能に装着可能な少なくとも１箇所の装着対象部と、前記尿器の外表面に直接的にも間接的にも装着しない装着非対象部とを有する前記尿袋において、前記装着対象部を、直接又は間接的に、前記尿器の外表面に着脱可能に保持することにより、前記尿袋を前記尿器に装着する、尿袋装着ステップと、を備え、前記尿袋装着ステップに従って前記尿袋を前記尿器に装着することにより、前記尿器の内表面と前記尿器の内部に挿入された前記尿袋の外表面との間の空間と、前記尿器の外部とが、前記折り返し部の前記装着非対象部の表面と、該装着非対象部の表面に相対する前記尿器の外表面との間の空間を介して連通する連通経路が形成される、ことを特徴とする。
【００１３】
本発明の第２の観点に係る尿袋は、一方に開口した尿袋開口端を有し、尿器に装着して使用される尿袋であって、前記尿袋が前記尿器内に挿入された状態で、前記尿器の開口端に対して前記尿器の外表面側に折り返す対象となる折り返し部と、前記折り返し部を折り返したときに、前記尿器の外表面に相対する前記折り返し部の表面において、前記尿袋開口端の周方向に沿って、前記尿器の外表面に対して直接又は間接的に着脱可能に装着する少なくとも１箇所の装着部と、前記尿器の外表面に、直接的にも間接的にも装着しない非装着部とを備える。
【００１４】
本発明の第３の観点に係る尿袋は、前記第２の観点に係る尿袋の前記装着部が、前記尿器の外表面に直接又は間接的に備えられた装着受け部に着脱可能に装着する装着性を備えている、ことを特徴とする。
【００１５】
本発明の第４の観点に係る尿袋は、直接又は間接的に尿器の外表面に備えられた、着脱可能に挟み込む機能を有する装着受け部を介して、前記尿器に着脱可能に装着される、一方に開口した尿袋開口端を有する尿袋であって、前記尿袋が前記尿器内に挿入された状態で、前記尿袋開口端を介して、前記尿器の開口端に対して前記尿器の外表面側に折り返す対象となる折り返し部と、前記折り返し部を折り返したときに、前記尿器の外表面に相対する前記折り返し部の表面に、前記尿袋開口端の周方向に沿って、前記装着受け部で挟み込まれることにより前記尿器の外表面に対して間接的に着脱可能に装着する、少なくとも１箇所の挟み込み部と、前記装着受け部で挟み込まれず、前記尿器の外表面に、直接的にも間接的にも装着しない非挟み込み部と、を備え、前記折り返し部は、前記尿袋開口端の周上の少なくとも２箇所で、該尿袋開口端の一部を残して、前記折り返し部の長さよりも小さい範囲で、前記尿袋開口端から切り取られており、前記挟み込み部は、前記尿袋開口端の周方向に隣り合う、少なくとも２箇所の前記切り取られている領域の間にある、切り取られていない部位に位置し、前記非挟み込み部は、前記折り返し部の中の前記挟み込み部を除く部位に位置する、ことを特徴とする。
【００１６】
本発明の第５の観点に係る装着補助具は、尿器の外表面に取り付けるための取り付け部と、前記第２の観点及び前記第３の観点に係る尿袋の前記装着部、及び前記第４の観点に係る尿袋の前記挟み込み部、のいずれか一方を着脱可能に装着する、前記取り付け部に設置された少なくとも１つの補助装着受け部と、を備えることを特徴とする。
【００１７】
本発明の第６の観点に係る尿器は、前記第２の観点及び前記第３の観点に係る尿袋の前記装着部、及び前記第４の観点に係る尿袋の前記挟み込み部、のいずれか一方を着脱可能に装着する尿器装着受け部を、外表面に離散的に備える、ことを特徴とする。
【発明の効果】
【００１８】
本発明に係る尿袋使用方法、尿袋、装着補助具、及び尿器によれば、尿袋を、男性用及び女性用のいずれの尿器にも、これまでより簡便に着脱可能に装着でき、且つ尿器に装着された尿袋の容量を尿器の容量の範囲内で有効に活用でき、尿器の再利用に伴う作業がこれまでよりも簡便化される。
【図面の簡単な説明】
【００１９】
【図１】（ａ）本発明の実施の形態１に係る尿袋を装着した尿器の断面図、（ｂ）図１（ａ）のＡで示す部位の拡大断面図、（ｃ）図１（ｂ）のＢ−Ｂ断面図、である。
【図２】実施の形態１に係る尿袋の例を示す（ａ）上面図、（ｂ）正面図、（ｃ）斜視図、（ｄ）尿袋開口端近傍の拡大図、である。
【図３】実施の形態１に係る尿袋の使用方法を示すフロー図である。
【図４】実施の形態１に係る尿袋の、（ａ）第１の変形例の正面図、（ｂ）第２の変形例の正面図、（ｃ）第３の変形例の斜視図、である。
【図５】（ａ）実施形態１の第４の変形例に係る尿袋を装着した女性用尿器の断面図、（ｂ）第４の変形例に係る尿袋の正面図、（ｃ）第４の変形例に係る尿袋の斜視図、である。
【図６】本発明の実施の形態２に係る装着補助具の、（ａ）上面図、（ｂ）正面図、（ｃ）尿器に取り付けた状態の斜視図、である。
【図７】実施の形態２の第１の変形例に係る装着補助具の、（ａ）上面図、（ｂ）正面図、（ｃ）尿器に取り付けた状態の斜視図、である。
【図８】実施の形態２の第２の変形例に係る装着補助具の、（ａ）上面図、（ｂ）図８（ａ）のＣで示す部位の拡大上面図、（ｃ）図８（ａ）のＣで示す部位の拡大正面図、（ｄ）第６の変形例に係る尿袋を第２の変形例に係る装着補助具に装着する状況を示す斜視図、である。
【図９】実施の形態２の第３の変形例に係る装着補助具の、（ａ）上面図、（ｂ）拡大側面図、である。
【図１０】実施の形態２の第４の変形例に係る装着補助具の、（ａ）上面図、（ｂ）拡大側面図、である。
【図１１】実施の形態２の第５の変形例に係る装着補助具の、（ａ）上面図、（ｂ）正面図、（ｃ）尿器に取り付けた状態の斜視図、である。
【図１２】実施の形態２の第６の変形例に係る装着補助具の、（ａ）上面図、（ｂ）正面図、である。
【図１３】実施の形態２の第７の変形例に係る装着補助具の、（ａ）上面図、（ｂ）正面図、（ｃ）拡大側面図、である。
【図１４】（ａ）本発明の実施の形態３の第８の変形例に係る尿袋の尿袋開口端近傍の正面図と断面図、（ｂ）実施の形態３の第９の変形例に係る尿袋の尿袋開口端近傍の正面図と断面図、である。
【図１５】（ａ）実施の形態３の第１０の変形例に係る尿袋の尿袋開口端近傍の正面図と断面図、（ｂ）実施の形態３の第１１の変形例に係る尿袋の尿袋開口端近傍の正面図と断面図、（ｃ）実施の形態３の第１２の変形例に係る尿袋の尿袋開口端近傍の正面図と断面図、である。
【図１６】本発明の実施の形態４に係る尿器の尿器首部近傍の一例を示す斜視図である。
【発明を実施するための形態】
【００２０】
（実施の形態１）
図１（ａ）に、本発明の実施の形態１に係る尿袋を装着した尿器の断面図を示す。図１（ｂ）は図１（ａ）のＡで示す部位の拡大断面図であり、図１（ｃ）は図１（ｂ）に示すＢ−Ｂ断面図を示す。なお、図１（ｃ）は断面のみを示し、それ以外の表示は省略されている。
【００２１】
図１（ａ）において、尿器１は、例えば市販され通常使用されている尿器であり、内部が見えるように、ガラスやプラスチックなどの透明又は半透明な材料で作られている。尿器１は、尿を貯留する尿器本体部１０と、尿を尿器本体部１０に注入するために、一端で外部に対して開口する尿器開口端１２を有し、他端で尿器本体部１０に連通する尿器首部１１と、尿器１の持ち運びに利用されるために設けられている把手１３とを備える。図１（ａ）に示す例では、把手１３は、その一端が尿器首部１１に、他端が尿器本体部１０に繋がっているが、両端とも尿器本体部１０に繋がっていてもよい。
【００２２】
尿袋２は、変形自在なシート状の透明なポリエチレン製シートやビニール製シートなどの防水性樹脂材料で作られた、一端が全て開口した尿袋開口端２２を有する袋である。図２（ａ）は、尿器１に装着される前の、シート状にたたんだ状態の尿袋２の一例の上面図を示し、図２（ｂ）は、その正面図を示し、図２（ｃ）は、その斜視図を示し、図２（ｄ）は、尿袋開口端２２近傍の拡大正面図を示す。図２（ｄ）は、図２（ｂ）に示す尿袋の前面部のみを示している。斜視図はたたんだ状態ではなく尿袋開口端２２から尿袋２の底部までを円筒状に広げた状態を模式的に示している。なお、図２（ｃ）に示す尿袋２は、その底面が平面を形成するようなものになっているが、底辺部が溶着され、これを広げたものであっても良い。
【００２３】
尿袋２は、尿袋本体部２０と、折り返し部２１と、尿袋開口端２２と、折り返し部２１の外表面に取り付けられた装着部２３とを備える。装着部２３は、折り返し部２１を折り返した際に、尿器１の外表面に対向する位置に配置されており、尿器１の外表面に対して着脱可能に接着できる部位である。図２は装着部２３の数が２である場合を示す。
【００２４】
折り返し部２１は、尿袋２を尿器１内に装着するとき、尿袋開口端２２が尿器開口端１２から外部に引き出された状態で、尿器首部１１にかぶせるように、尿器開口端１２で尿器首部１１の外表面側に折り返す部位である。従って、尿袋開口端２２を含めて、折り返し部２１は、装着対象とする尿器１の尿器首部１１にかぶせることができるようなサイズを有する。図１及び図２に示す折り返し線２４は折り返し部２１を折り返す目安となる位置を示したものであり、その位置は、厳密に設定されたものである必要はないが、装着部２３が折り返し部２１の領域に含まれるように設定される。従って、折り返し部２１の長さは、装着部２３を尿器１のどの部位に接着するかにより決定される。接着する位置は、厳密に決定されるものではないが、おおよその目安となる接着位置が予め決められており、それに従って折り返し部２１の長さと装着部２３の取り付け位置が決定される。
【００２５】
折り返し部２１は、尿袋開口端２２の周上の少なくとも２箇所で、尿袋開口端２２の一部を残して、折り返し部２１の長さよりも小さく、予め設定された長さより大きい範囲で、尿袋開口端２２から切り取られている。切り取られた部位の境界を切り欠き部２５と呼ぶ。装着部２３は、折り返し部２１の、切り取られた領域の間に残った部位のうち、少なくとも１の部位に取り付けられている。図２に示す装着部２３は、その数が２で、尿袋開口端２２の周方向に互いに１８０度離れた位置に配置されている例である。
【００２６】
切り欠き部２５は、尿袋２を尿器１に装着するとき、尿袋開口端２２を広げて、折り返し部２１を尿器首部１１に対して折り返し易くするために設けられており、切り取られる領域の尿袋開口端２２からの長さは、既に説明したように、折り返しを容易にするために予め製造者により決められた最小の長さ以上で、且つ折り返し部２１の長さよりも小さい値に設定されている。切り欠いた部位の形状が矩形状の場合の切り欠き部２５は、図２に示すように尿袋開口端２２の周方向と直交する方向、即ち尿袋２の長手方向に切り欠いたものでも良いし、尿袋開口端２２の周方向に直交する方向に対して傾斜する方向に切り欠かれたものでも良い。傾斜する方向に切り欠かれている場合も、尿袋開口端２２の周方向に対して直交する方向の切り欠部２５の長さは、折り返し部２１の長さよりも小さい値に設定されている。
【００２７】
切り欠き部２５は、そのコーナー部も含めて滑らかな形状に形成されていることが望ましい。例えば、図２（ｄ）に示すように、切り欠き部２５のコーナー部２５０は、楕円形状や円弧形状など、なめらかな形状を有している。切り欠き部２５の底部である切り欠き底部２５１も同様で、急峻な形状、例えばＶ字状のようなエッジのある形状ではなく、直線や緩やかな曲線などの形状であることが望ましい。尿袋２を尿器１に装着するために尿袋開口端２２を広げる際、切り欠き部２５のコーナー部２５０や切り欠き底部２５１には引っ張り応力が働く。切り欠き部２５に応力の集中する部位があると、その部位で尿袋２が破れる恐れが出てくる。引っ張り応力がかかる切り欠き部２５の形状を上記のように滑らかな形状にするのは、過度の応力集中が生じる箇所をなくすことにより、尿袋２の破損を防止するためである。
【００２８】
装着部２３は、尿器首部１１の外表面に対して着脱可能な接着性を持つ接着面を有する部位である。装着部２３は、折り返し部２１の外表面、即ち、折り返し部２１を尿器首部１１に対して折り返したときに尿器首部１１の外表面に対向する面上にあり、隣り合う切り欠き部２５の間、即ち切り取られた領域の間に残った部位の少なくとも１の部位に配置されている。即ち、装着部２３は、折り返し部２１の周方向に沿って、その全周に隙間なく取り付けられてはいない。装着部２３が１個の場合も含めて、装着部２３がこのように取り付けられていることを以下では離散的に取り付けられていると言う。
【００２９】
装着部２３は、例えば着脱可能な両面接着テープを折り返し部２１に貼り付けて構成したものでも良いし、両面接着テープ表面に塗布されているような着脱可能な接着性を有する接着剤を折返部２１の表面に塗布したものでも良い。いずれの場合も、尿袋２を尿器１に装着するまでは装着部２３の接着面には容易に剥がすことのできるカバーシートが貼り付けられ、尿器１やその他の周囲のもの等への不用意な接着を防止するように構成されている。図２では、カバーシートの図示は省略した。尿袋２を尿器１から取り外すときは、尿袋開口端２２の近傍を持って、折り返し部２１を尿器首部１１から引き外す。なお、図１に示す装着部２３はその厚さを強調して示している。
【００３０】
図２は、２個の装着部２３が、尿袋開口端２２の周方向に互いに１８０度離れて、離散的に、折り返し部２１の外表面上に取り付けられた例を示す。尿袋開口端２２の周方向の各装着部２３の両側には、折り返し部２１の、切り取られた部位を含めて、接着性を有さない部位が存在する。
【００３１】
図１（ａ）〜（ｃ）では、尿袋２は、折り返し部２１に取り付けられた装着部２３を尿器首部１１の外表面に着脱可能に接着することにより、尿器１に着脱可能に装着されている。折り返し部２１の、尿袋開口端２２の周長は、折り返しが可能となるように、尿器首部１１の、尿器開口端１２の周長よりも大きく設定されているため、図１（ｃ）に示すように、折り返し部２１を尿器開口端１２で折り返し、装着部２３が尿器首部１１の外表面に接着したとき、隣り合う装着部２３の間の空間には、折り返し部２１の外表面と、尿器開口端１２及び尿器首部１１の外表面とで構成される空隙部４が連通する。
【００３２】
この空隙部４は尿器１の外部と連通している。また、尿器１の中に挿入されている尿袋本体部２０の外表面と尿器首部１１及び尿器本体部１０の内表面との間には、図１（ａ）に示すように、空気の存在する空隙部３がある。空隙部３は空隙部４と連通しているため、空隙部３は空隙部４を介して尿器１の外部と連通している。以下ではこの空隙部４を、空隙部３と尿器１の外部とを連通する経路という意味で連通経路４と呼ぶ。すなわち、尿袋２は、折り返し部２１の外表面に取り付けられた装着部２３を介して尿器首部１１の外表面周上に離散的に接着されることにより、尿袋２の折り返し部２１の接着されていない外表面の部位とこれに対向する尿器首部１１の外表面の部位とで、連通経路４が構成される。
【００３３】
尿袋２の使用方法を図３に示す。使用方法は、前処理ＳＴ１と使用ＳＴ２と後処理ＳＴ３からなる。前処理ＳＴ１は、尿袋２を尿器１に装着する装着処理であり、使用ＳＴ２は、前処理ＳＴ１終了後の尿器１の使用であり、後処理ＳＴ３は、使用ＳＴ２終了後の、尿袋２を尿器から取り外し廃棄するという取り外し廃棄処理である。
【００３４】
前処理ＳＴ１では、まず、尿袋２の尿袋本体部２０を尿器本体部１０に挿入する（ＳＴ１０）。この時、尿袋２の折り返し部２１は尿器１の外に残しておく。次に、尿器１の外に残した折り返し部２１を尿器開口端１２で尿器首部１１の外表面側に折り返す処理を行う（ＳＴ１１）。具体的には、尿袋開口端２２を広げ、折り返し部２１を尿袋開口端２２から尿器首部１１にかぶせるようにして折り返す。次に、装着部２３を尿器首部１１の外表面に押しつけることにより接着する（ＳＴ１２）。図１、２に示す尿袋２では装着部２３は、尿袋開口端２２の周方向に、互いに１８０度離れて離散的に配置されているため、装着部２３を尿器首部１１の外表面に接着すると、折り返し部２１の外表面と尿器首部１１の外表面とで構成される連通経路４が、自動的に形成される。この処理で尿袋２は尿器１に着脱可能に装着された状態になる。
【００３５】
次に、尿器１内に挿入した尿袋本体部２０内部の実効拡幅処理を行う（ＳＴ１３）。この処理は、尿器首部１１に挿入されている尿袋本体部２０の内部を尿器首部１１の内径一杯に広げるための処理である。この処理は、人の手で実行されても良いし、尿器首部１１の内径よりも小さな外径の筒状のものを使って実行されても良い。筒状のものを使用する場合は、尿袋２の折り返し部２１で、外部に開口した部位から、尿器首部１１の内部に、筒状のものを挿入し、尿器首部１１の内側に張り出した尿袋本体部２０の皺を、尿器首部１１の内表面に沿って押し付けて可能な範囲で平担化する。人の手で実行する場合も同様である。この処理により、尿器１に挿入されている尿袋本体部２０の、外部に対して開口している実効的な開口サイズが、尿器首部１１の長さ方向に沿って拡張される。そのため、排尿の際、尿器首部１１の内側に張り出した尿袋本体部２０の皺に尿がかかり、尿器１外に尿が漏れるといったトラブルを減少させることができる。なお、ＳＴ１３の処理は必須ではなく、尿袋２の装着状況に応じて省くこともできる。以上でＳＴ１の「前処理」が完了し、尿袋２は尿器１に適切に装着された状態となる。
【００３６】
使用ＳＴ２では、尿袋２が装着された尿器１が使用される。具体的には、前処理ＳＴ１で尿器１に尿袋２が装着された後、使用者は、尿器１を使用するかどうかを判断する（ＳＴ２０）。使用しないと判断したときは（ＳＴ２０；ＮＯ）ＳＴ２０に戻り、尿器１は、使用の意思が生じるまで待機状態となる。使用の意思があれば（ＳＴ２０；ＹＥＳ）使用者は必要に応じて介護者にサポートされながら、尿袋２の装着された尿器開口端１２を介して尿袋本体部２０に排尿し、排尿された尿は、尿器１に装着された尿袋２の尿袋本体部２０内に貯留される（ＳＴ２１）。尿袋本体部２０に尿が貯留されると、使用者又は介護者などの尿器１の管理を行う者は、予め定められた判定基準に従って貯留された尿の廃棄の要否を判定する（ＳＴ２２）。尿の廃棄は不要と判定すれば（ＳＴ２２；否）、ＳＴ２０の尿器１の使用の待機状態に戻る。尿廃棄の判定基準は、例えば貯留された尿の量が尿器に付されたある目盛り若しくは設定された重量を超えたかどうか又は貯留されている期間が予め定めた期間を超えたかどうかなどとすることができる。量と期間の判定基準のうち早いほうの時期を尿の廃棄の最終的な判定基準としても良い。尿器１の管理を行う者は、尿の廃棄が必要と判定すれば（ＳＴ２２；要）、後処理ＳＴ３に移行する。
【００３７】
後処理ＳＴ３では、尿が貯留されている尿器１をトイレなどの尿の廃棄場所に持って行き、尿器１に装着された尿袋２内に貯留された尿を、尿器開口端１２を介して、廃棄場所に廃棄する（ＳＴ３０）。次に、尿袋２の装着部２３を尿器首部１１の外表面から取り外す（ＳＴ３１）。これで、尿袋２は尿器１とは切り離された状態になるので、尿袋２を尿器１から取り外し、廃棄する（ＳＴ３２）。以上で後処理ＳＴ３は完了し、併せて尿袋２の使用も終了する。次に尿袋２を使用するときは、新しい尿袋２についてＳＴ１からＳＴ３までの処理を繰り返すことになる。なお、尿袋２に貯留された尿の量によっては、ＳＴ３０をＳＴ３２の後に持って行き、尿が入ったままの尿袋２を尿器１から取り外し、その後、尿と尿袋２を廃棄してもよい。
【００３８】
実施の形態１に係る尿袋２は、これまで説明したように装着部２３を尿器首部１１の外表面に押しつけて、着脱可能に接着することにより尿器１に装着されるので、尿袋を保持する手段を直接には備えていない通常市販されている尿器に、簡便に着脱可能に装着することができる。
【００３９】
尿器１に尿袋２を装着すると、図１（ａ）に示すように、尿器首部１１及び尿器本体部１０のそれぞれの内表面と尿袋本体部２０の外表面との間には空隙部３ができ、ここには空気が存在する。
【００４０】
尿器１を使用することにより、尿器１に装着された尿袋本体部２０には、図１（ａ）に示すように、尿が貯留される。尿袋本体部２０は、尿の貯留量が増えると、その内容積が増加する。空隙部３に存在する空気は、尿袋本体部２０の内容積の増加により圧力を受ける。この空気は、図１（ａ）、（ｂ）に示す矢印、及び図１（ｃ）で示すように、連通経路４を通って尿器１の外に放出される。
【００４１】
空気孔のない尿器１において連通経路４が形成されていない場合、例えば尿袋２の折り返し部２１を折り返した全周にわたり尿器首部１１に接着する場合、若しくは、紐体又は輪ゴムなどで尿器首部１１に固定する場合は、尿袋本体部２０内の尿の貯留量の増加と共に、行き場のない空隙部３の空気により、尿袋本体部２０の外表面には圧縮力が働く。そのため尿袋本体部２０の実際に活用できる容量は、本来利用可能な容量よりも減少してしまう。従って、尿器１の容量自体は十分なものであっても、１回の排尿の量を尿袋２に貯留できなくなる恐れが生じる。更に、尿袋２を装着した尿器１を、尿袋２を替えずに複数回使用するような運用の場合には、尿器１の容量自体は所定の回数の排尿量に対して十分であっても、尿袋２には所定の回数に対応する排尿量を貯留することができないという問題が生じることがある。尿器１内の尿を廃棄し、再使用できるようにする作業は、その作業を行う尿器１の管理者（使用者または使用者を介護する介護人など）にとって大きな負担となる。そのため、尿器１を複数回使用した後に尿器１内の尿を廃棄する作業を行うことがあるが、上記の状況は、そのような尿器１の運用に対して大きな制約となる。
【００４２】
実施の形態１に係る尿袋２及び図３に示す尿袋使用方法によれば、尿袋２を尿器１に装着したとき、その尿器１が空気孔を備えていない通常市販されている尿器であっても連通経路４が形成される。そのため、尿袋本体部２０への尿の貯留量の増加に伴い、尿袋本体部２０の実際に活用できる容量が減少するという問題は発生しない。従って、この尿袋２では、尿袋本体部２０の本来利用可能な容量を、装着する尿器の容量の範囲内で有効に活用することができる。これにより、尿袋の交換の頻度を抑えることができる。
【００４３】
更に、尿袋２は、着脱可能な装着部２３により尿器１に直接装着されているので、貯留された尿をトイレ等に廃棄した後、尿器１から簡単に取り外して廃棄することができる。装着部２３を尿器１から簡単に取り外し廃棄することができるということは、その作業の際に、尿袋２の装着や取り外しに伴う付属品の洗浄などの作業が不要であると共に、尿袋２の取り外しの際に起こりうる、尿袋２からの尿の飛散が生じにくいということをも意味する。また、尿袋２を使用していることにより、尿器１の使用後の洗浄は不要である。従って、尿器の再利用に伴う作業を、従来よりも大幅に簡便化することができるという効果が得られる。
【００４４】
また、これらの効果は特許文献３に記載されているような空気孔を設けた特殊な尿器ではなく、空気孔を備えていない通常市販されている尿器を使用することによっても得ることができる。そのため、尿器の準備に要する手間、及びそのために必要な費用を省くことができるという点においても効果がある。
【００４５】
尿袋２には切り欠き部２５が設けられている。この切り欠き部２５により、折り返し部２１の切り欠いていない部位を、左右に広げることにより、切り欠き部２５が無いときと比べて、尿袋開口端２２をより大きく広げることができるので、折り返し処理が容易になる。即ち尿器１への尿袋２の装着がより簡便になる。更に、折り返し部２１の切り欠いていない部位に装着部２３が配置されているので、この切り欠いていない部位を大きく広げて、折り返し部２１を尿器首部１１側に折り返すことにより、装着部２３を尿器首部１１の外表面に接着する処理が容易になる。なお、切り欠き部２５の切り欠き長さを折り返し部２１の折り返し長さよりも小さくするのは、尿器開口端１２が折り返し部２１で覆われるようにするためである。これにより排尿時に尿器開口端１２を含む尿器首部１１に尿が付着する恐れを低減することができる。
【００４６】
切り欠き部２５には、折り返し処理の際に引っ張り力が作用する。既に説明したように、切り欠き部２５のコーナー部２５０がなめらかな形状を有していること及び切り欠き底部２５１が急峻な形状を有していないことから、尿袋２の尿器１への装着の際に尿袋開口端２２を広げるとき、及びこの尿器１の使用時に、切り欠き部２５に引っ張り力が作用しても、その引っ張り力は特定の部位に集中しにくくなる。そのため、切り欠き部２５の部位から尿袋２が破れるという破損が起こりにくい。
【００４７】
＜第１から第３の変形例に係る尿袋＞
図４（ａ）〜（ｃ）に、尿袋２の変形例を示す。図４（ａ）、（ｂ）に示す、それぞれ第１の変形例及び第２の変形例に係る尿袋２は、これまで説明した図２に示す尿袋２に対して、尿袋本体部２０のうち、尿器本体部１０に挿入される部分の幅若しくは周長が折り返し部２１の幅若しくは周長よりも大きいものである。図４（a）又は（ｂ）に示す尿袋２は、矩形のシート２枚を重ねて、その側辺部を、図４（a）又は（ｂ）に示す形状に沿って溶断すると共に、底辺部も溶断することにより形成できる。図４（ｃ）に示す第３の変形例に係る尿袋２は、マチ付き袋で構成されている。図示する例は、図４（ｂ）の尿袋２と類似した形状を有し、尿器本体部１０に挿入される尿袋本体部２０の幅若しくは周長が折り返し部２１の幅若しくは周長よりも大きい例である。これらの尿袋２は、尿器首部１１の内径が尿器本体部１０の内径に比べて小さいという尿器１の一般的な形状に合わせた形状にしたものである。図４（ｂ）に示す尿袋２は、底面部の両端のエッジ部を溶断等により斜めにカットした形状であっても良い。
【００４８】
これらの尿袋２が、上記と同様に尿器１に装着されるときにも、連通経路４が形成されるので、上記各変形例に係る尿袋２も、これまで説明した効果を奏することができる。更に、図２に示す尿袋２の場合は、尿器本体部１０の容量を有効活用するためには、尿袋２の幅を尿器本体部１０の形状に合わせて大きくする必要があるが、図４（ａ）〜（ｃ）に示すような尿袋２の場合は、尿器１に装着したとき、尿器本体部１０の容量を有効活用できると共に、図２に示す尿袋２を使用したときに比べて、尿器首部１１内の尿袋２の皺が小さくなる。そのため、図３のステップＳＴ１３に示す「挿入尿袋本体部内部の実効拡幅処理」の作業が簡略化若しくは省略可能となる。また、尿器首部１１内の尿袋２の皺が小さくなることにより、排尿時に尿器１から外部に尿がこぼれ落ちるというトラブルの発生する恐れが低減化する。
【００４９】
＜第４の変形例に係る尿袋＞
第４の変形例に係る尿袋２は、女性用の尿器１に、より装着しやすくしたものである。図５（ａ）は、第４の変形例に係る尿袋２を装着した女性用の尿器１の断面図、図５（ｂ）は、第４の変形例に係る尿袋２の正面図、図５（ｃ）は、第４の変形例に係る尿袋２の斜視図を示す。図５（ａ）は図１（ａ）に対応し、図５（ｂ）は、図２（ｂ）に対応し、図５（ｃ）は、図２（ｃ）に対応したものである。図５（ａ）、（ｂ）、（ｃ）に示す部位の符号は、図１（ａ）、図２（ｂ）、（ｃ）に示す部位とその形状が異なっても機能が同じ場合には図１（ａ）、図２（ｂ）、（ｃ）に示す符号と同じにしている。
【００５０】
女性用の尿器１は図５（ａ）に示すように、尿器首部１１が尿器開口端１２に近づくにつれて広がっていくような形状を有している。第４の変形例に係る尿袋２は、このような尿器１の形状に対応させたものである。
【００５１】
図５（ｂ）、（ｃ）に示す第４の変形例に係る尿袋２では、折り返し部２１は尿器開口端１２に対して折り返し可能な尿袋開口端２２の周長（図５（ｂ）では幅）と同じ周長を有し、折り返し部２１につながる尿袋本体部２０は、尿器首部１１に対応する長さの近傍までは、折り返し部２１から離れるに従って徐々にその周長（図５（ｂ）では幅）が小さくなり、その後はその周長（図５（ｂ）では幅）が大きくなっている。装着部２３、切り欠き部２５については図２の場合と同じである。なお、第４の変形例に係る尿袋２は、外形は図５（ｂ）に示す尿袋２と同様なものであって、図４（ｃ）に示すようなマチ付きの袋にしてもよい。
【００５２】
第４の変形例に係る尿袋２の使用方法は、図３に示す使用方法と同じである。
【００５３】
図２に示す尿袋２を図５（ａ）に示すような女性用の尿器１に装着することもできる。しかし、その場合は、尿袋開口端２２の周長を、尿器開口端１２の周長よりも大きくしなければならないので、尿袋２の幅が全体として大きくなる。このような尿袋２を女性用の尿器１に装着すると、尿器首部１１の径が小さくなった部位では、尿袋２の幅、即ち周長が大きすぎ、内側に大きな皺となって張り出してきてしまう。
【００５４】
これに対して、第４の変形例に係る尿袋２であれば、女性用の尿器１に装着したときに、尿袋２が尿器首部１１の内側に皺となって張り出す程度が図２に示す尿袋２の場合よりも緩和される。そのため、張り出した皺により尿が外部に漏れ出る恐れをより低減することができる。第４の変形例に係る尿袋２は、図２に示す尿袋２と同様な装着部２３と切り欠き部２５を備えるので、この尿袋２は、女性用の尿器１に簡便に装着できる。更に、この尿袋２が、女性用の尿器１に、これまで説明したように装着されることにより、連通経路４が形成される。従って、この尿袋２は、図２に示す尿袋２を尿器１に装着するときと同様に、尿器１に、これまでより簡便に着脱可能に装着でき、且つ尿器１に装着された尿袋２の容量を尿器の容量の範囲内で有効に活用でき、尿器１の再利用に伴う作業がこれまでよりも簡便化されるという効果を奏することができる。
【００５５】
これまで、装着部２３が、２箇所に、尿袋開口端２２の周方向の互いに反対側に離れて折り返し部２１の外表面に配置されている例について説明したが、装着部２３の配置数は、尿袋開口端２２の周方向に少なくとも１箇所、折り返し部２１を折り返したとき、尿器首部１１の外表面に相対する、切り欠き部２５の間の部位に離散的に配置されていればよく、複数配置される場合の周方向の相互の位置関係も任意で良い。
【００５６】
尿袋２は、例示した変形例の形状に限らない。尿袋２は、一端が開口した尿袋開口端２２を有し、尿袋開口端２２を含む折り返し部２１と、折り返し部２１につながる尿袋本体部２０と、折り返し部２１の外表面に、尿袋開口端２２の周方向に離散的に配置された少なくとも１の装着部とを備えるものであればよく、想定する尿器１の尿器首部１１に折り返し可能なものであればその形状は特に制限されない。そのような尿袋２であればこれまで説明したように、連通経路４を形成するように尿器１に簡便に着脱可能に装着することができるので、これまで説明した効果と同様な効果を奏することができる。
【００５７】
また、これまで尿袋２には切り欠き部２５が２箇所形成されているとして説明したが、これに限定されない。切り欠き部２５はなくてもよいし、１箇所又は３箇所以上の切り欠き部２５が形成されていてもよい。切り欠き部２５がない場合でも、少し時間が長くかかる恐れはあるが、尿袋２の折り返し処理は可能である。切り欠き部２５が３箇所以上の場合であっても、それらの切り欠き部２５の形状と配置とが、隣り合う切り欠き部２５間の少なくとも１の領域に少なくとも１の装着部２３を配置する部位を確保できる様なものであれば特段の問題はない。装着部２３の数と切り欠き部２５の数を揃える必要はない。切り欠き部２５を少なくとも２箇所設けることにより、尿袋２の折り返し処理がより容易になり、隣り合う切り欠き部２５の間に少なくとも１つの装着部２３を配置することにより、折り返し処理の際に、各装着部２３を尿器首部１１の外表面に接着する作業がより簡便に実行できることになる。
【００５８】
これまで説明してきた尿袋２は、切り欠き部２５の有無にかかわらず、連通経路４が形成されるため、これまで説明したように、連通経路４に伴う効果を奏することができる。なお、折り返し線２４は尿器首部１１と尿器開口端１２の形状に依存して決まる形状の線であれば良く、例えば、尿袋開口端２２に対して傾斜した直線又は曲線であっても良い。
【００５９】
装着部２３は、尿袋２の折り返し部２１の外表面、即ち折り返したときに尿器首部１１の外表面に対向する表面に付着しているとしたが、これに限定されない。装着部２３のない状態の尿袋２を使用し、折り返し部２１を、尿器開口端１２で折り返した後、折り返し部２１の内表面を、尿器首部１１の外表面に対して、少なくとも一箇所で、離散的に、着脱可能に接着してもよい。具体的には、例えば粘着テープを装着部２３として、折り返した後の折り返し部２１の内表面を、尿袋開口端２２を挟んで、粘着テープで尿器首部１１の外表面に貼り付けて固定してもよい。このとき、粘着テープは、離散的に貼り付けられているので、切り欠き部２５も含めて、尿袋開口端２２の一部を尿器首部１１の外表面に貼り付けていない。従って、尿袋２は、連通経路４を形成するように尿器１に簡便に着脱可能に装着される。そのため、このような装着方法によっても、尿袋２の容量を尿器１の容量の範囲内で有効に活用でき、尿器１の再利用に伴う作業がこれまでよりも簡便化されるという効果が得られる。
【００６０】
これまでの説明では、尿袋２は、装着部２３を介して、折り返し部２１を尿器首部１１の外表面に離散的に接着することにより、尿器１に装着されるとしたが、必ずしもこれに限定されない。尿袋２は、装着部２３を介して、折り返し部２１を尿器本体部１０の外表面又は把手１３に離散的に貼り付けることにより、尿器１に装着されてもよい。装着部２３を尿器本体部１０の外表面に離散的に貼り付けるというケースは尿器１の形状によって生じうる。このような場合であっても、尿器１に尿袋２が装着されると、連通経路４が形成される。また、折り返し部２１に装着部２３がない場合でも、折り返し部２１を折り返した後に、折り返した部位を、尿袋開口端２２を挟んで、離散的に、尿器本体部１０の外表面又は把手１３に粘着テープ等で貼り付けて固定することにより、尿袋２を尿器１に装着してもよい。この場合も、尿袋２は尿器１にこれまでより簡便に着脱可能に装着でき、更に、これまで説明した連通経路４が形成される。従って、尿器１にこのように装着された尿袋２は、その容量を尿器の容量の範囲内で有効に活用でき、尿器の再利用に伴う作業はこれまでよりも簡便化することができる。
【００６１】
（実施の形態２）
実施の形態２では、尿器１に着脱可能に取り付けることのできる装着補助具と、取り付けた装着補助具を介して、即ち間接的に、尿器１に着脱可能に装着できる第５の変形例に係る尿袋２について説明する。
【００６２】
図６に装着補助具５の例を示す。図６（ａ）は装着補助具５の上面図、図６（ｂ）はその正面図、図６（ｃ）は尿器１の尿器首部１１に取り付けた状態の装着補助具５の斜視図を示す。図６（ｃ）には、装着補助具５への尿袋２の装着状態もわかるように折り返した状態の尿袋２の折り返し部２１の一部を破線で示した。
【００６３】
図６（ａ）、（ｂ）に示す装着補助具５は、図示するＹ方向の、予め定められた幅を有し、尿器首部１１の周方向に巻き回すための、図示するＸ方向に帯状に伸びる帯部５０と、帯部５０に取り付けられた帯部装着受け部５１と、帯部装着部５２と、尿袋装着受け部５３と、滑り止め部５４とを備える。なお、尿袋装着受け部５３は装着補助具５に設置されているものなので、以下では補助装着受け部５３と呼ぶ。以下では補助装着受け部５３の取り付けられた面を帯部５０の上面、その反対側の面を下面と呼ぶ。
【００６４】
帯部５０は、繊維状の材質、可撓性のある薄手の高分子材料や金属材料など、尿器首部１１の周方向に巻き回すことができるものであればどのような材料で作られていても良い。帯部５０は尿器首部１１の周方向に巻き回して一部重なりができる長さを有し、幅は、通常１０〜２０ｍｍ程度であるが、尿器首部１１の周方向に直交する方向の長さ未満であればどのような幅であってもよい。
【００６５】
帯部装着受け部５１と帯部装着部５２とは、相互間で着脱可能に装着性を有するもの、例えば面ファスナーで形成され、例えば、帯部装着受け部５１は帯部５０の一方の端部近傍の上面に、帯部装着部５２は帯部５０の他方の端部の近傍の下面に、それぞれ、面ファスナーを接着することにより構成されている。即ち、帯部装着受け部５１と帯部装着部５２とは、帯部５０を尿器首部１１に巻き回したときにできる帯部５０の重なり部に取り付けられる。
【００６６】
補助装着受け部５３は、後述する第５の変形例に係る尿袋２の装着部２３が着脱可能に装着できる部位で、例えばその表面が面ファスナーで構成されている。面ファスナーの場合の補助装着受け部５３は、帯部５０の幅と同程度の幅と、帯部５０の長さよりも小さく、予め定められた最小長さ以上の長さとを有し、帯部５０の長さ方向に少なくとも１箇所設置されている。図６は、補助装着受け部５３が、２箇所設置されている例であり、帯部５０を尿器首部１１に巻き回したとき、例えば、互いに反対側に配置されるような位置に取り付けられている。
【００６７】
滑り止め部５４は、尿器首部１１の外表面に着脱可能に取り付けられた装着補助具５の取り付け位置の変動を抑えるためのものであり、ゴム、スポンジ等、尿器首部１１の外表面に対する摩擦係数が高く弾性を有する材料で形成されている。滑り止め部５４は帯部５０の下面に少なくとも一箇所設置されているのが好ましいが、必須ではない。帯部５０と尿器首部１１の外表面との間の摩擦係数が大きく、装着補助具５の取り付け位置の変動を抑えることができれば省かれてもよい。図６は、滑り止め部５４を帯部５０の長手方向に２箇所設置した例を示す。
【００６８】
この尿器１に使用される尿袋２は、第５の変形例に係る尿袋２である。第５の変形例に係る尿袋２は、実施の形態１で説明したいずれかの尿袋２の装着部２３を、装着補助具５の補助装着受け部５３との間で、着脱可能な装着性を有するもの、例えば、面ファスナーとしたものである。尿袋開口端２２の周方向における装着部２３の配置は、装着補助具５を尿器首部１１に巻き回して装着したときの補助装着受け部５３に対して、実施の形態１で説明したように、離散的に装着可能な位置に配置されている。
【００６９】
装着補助具５は、図６（ｃ）に示すように尿器１の尿器首部１１に取り付けられる。具体的には、まず、帯部５０の下面を尿器首部１１の外表面に対向させ、滑り止め部５４を尿器首部１１の外表面に強く押し当てるようにして、尿器首部１１の周方向に帯部５０を巻き回し、尿器首部１１の外表面に対して締め付ける。次に、帯部５０の帯部装着部５２を帯部５０の上面に持って行き、帯部５０の上面に取り付けられている帯部装着受け部５１に押しつける。これにより、帯部装着部５２は帯部装着受け部５１に着脱可能に付着する。このとき、帯部５０は滑り止め部５４を介して尿器首部１１の外表面に接触しているため、帯部５０、即ち装着補助具５に外力が働いたとき、装着補助具５が尿器首部１１の外表面上で滑って位置が変動することが抑制される。以上により、装着補助具５は、取り付け場所である尿器首部１１での位置が実質的には変化しないように尿器１に取り付けられる。なお、帯部５０と帯部装着受け部５１と帯部装着部５２と滑り止め部５４とは、装着補助具５を尿器１に取り付けるためのものであるから、取り付け部と呼ぶことができる。
【００７０】
第５の変形例に係る尿袋２は、基本的には図３のフロー図に示す方法と同様にして尿器１に装着されて使用されるが、前処理ＳＴ１において、次の点が異なる。まず、ステップＳＴ１０に先だって、装着補助具５を、上記のように尿器１に取り付けるための、装着補助具取り付け工程が実行される。ステップＳＴ１２では第５の変形例に係る尿袋２の折り返し部２１は、尿器１に直接装着されるのではなく、装着補助具５に装着されることにより間接的に尿器１に装着される。第５の変形例に係る尿袋２は、装着部２３の面ファスナーを、尿器首部１１の外表面に取り付けた装着補助具５の補助装着受け部５３の面ファスナーに押し当てることにより、装着補助具５に装着される。装着部２３は、尿器首部１１の外表面の周方向に離散的に付着することになるので、実施の形態１の場合と同様に、第５の変形例に係る尿袋２が尿器１に装着されたとき、連通経路４が形成される。ステップＳＴ３１では、第５の変形例に係る尿袋２の装着部２３は直接尿器１から取り外されるのではなく、装着補助具５から取り外されることにより間接的に尿器１から取り外される。
【００７１】
以上の通り、図６に示す装着補助具５を尿器１に取り付けることにより、第５の変形例に係る尿袋２は、装着補助具５を介して尿器１に、離散的に、且つ簡便に着脱可能に装着でき、その際に、実施の形態１の場合と同様に、連通経路４が形成される。ただし、このときの連通経路４は、その経路の一部が尿器首部１１の外表面ではなく、装着補助具５の表面に置き換えられる。このような連通経路４であっても、実施の形態１で説明した連通経路４としての機能を果たしうる。従って、このような装着補助具５と第５の変形例に係る尿袋２とを利用することにより、実施の形態１の場合と同様の効果を奏することができる。なお、第５の変形例に係る尿袋２は、実施の形態１で説明したどのような形状の尿袋２であっても良い。
【００７２】
図６に示す装着補助具５は、装着位置での尿器首部１１の径が略同じであれば、市販の男性用及び女性用のいずれの尿器１にも着脱可能に容易に取り付けることができる。更に、帯部５０の長さが巻き回しに十分な長さを有し、帯部装着受け部５１、帯部装着部５２、及び補助装着受け部５３の長さをより大きくすれば、男性用及び女性用の尿器を含めて、装着補助具５の装着位置における尿器首部１１の径が異なっていても、いずれの尿器１にも装着補助具５を装着でき、且つ尿袋２の装着部２３を補助装着受け部５３に着脱可能に装着できる。なお、補助装着受け部５３の長さを大きくする代わりに、尿袋２の開口の周方向における尿袋２の装着部２３の長さを大きくしてもよいし、補助装着受け部５３及び装着部２３の両方の長さを大きくしてもよい。いずれの場合も同様の効果を得ることができる。更に、第５の変形例に係る尿袋２は装着補助具５を介して尿器１に装着されるので、装着補助具５と第５の変形例に係る尿袋２を使用することにより、第５の変形例に係る尿袋２を通常市販されている尿器１に簡便に着脱可能に装着することができ、且つ連通経路４の形成による効果も奏することができる。
【００７３】
なお、図６に示す補助装着受け部５３は、帯部装着受け部５１と合わせて、帯部５０の長手方向の略全面に取り付けられたものであってもよい。このときは、離散的に取り付けられた装着部２３を有する尿袋２を尿器１に装着するときに、装着部２３を補助装着受け部５３に対して位置合わせするという手間を省くことができ、異なる径の尿器首部１１に対しても装着補助具５を装着できると言う点も含めてこれまで説明した効果と同様の効果が得られる。次に、装着補助具５の各種変形例について図７〜１３を参照して説明する。
【００７４】
＜第１の変形例に係る装着補助具＞
図７に第１の変形例に係る装着補助具５を示す。図７（ａ）は第１の変形例に係る装着補助具５の上面図、図７（ｂ）は第１の変形例に係る装着補助具５の正面図、図７（ｃ）は第１の変形例に係る装着補助具５を尿器首部１１に取り付けたときの斜視図、を示す。
【００７５】
第１の変形例に係る装着補助具５は、基本的には図６に示す装着補助具５と同様であるが、帯部装着受け部５１と帯部装着部５２とに替えてバックル５５を備え、バックル５５を利用して尿器首部１１に着脱可能に取り付けられる。
【００７６】
バックル５５はバックル本体部５５０と回転固定部５５１とを備える。また、図７に示す例では、バックル５５を帯部５０に取り付けるために、取り付け付属部品としてカシメ部５６が使用されている。バックル５５は、通常、金属材料やプラスチックなどの樹脂材料で作られることが多いが、締め付け時に破損しない程度の強度さえ有していれば、特に材料の制限はない。バックル本体部５５０は、帯部５０を通すスリットを備え、このスリットを通り反転させた帯部５０の一端は、このスリットに通す前の帯部５０と共に、バックル本体部５５０の近傍でカシメ部５６によりカシメられる。これにより、帯部５０の長さ方向の一端にバックル５５が取り付けられる。回転固定部５５１は、バックル本体部５５０の一端に回転可能に取り付けられ、回転させてバックル本体部５５０の側に押し込んで閉じることによりロックされる。バックル本体部５５０に対して回転固定部５５１が大きく開いた状態では、バックル本体部５５０と回転固定部５５１との間に帯部５０が挿入されうる隙間が生じ、回転固定部５５１をバックル本体部５５０側に閉じたときは、この隙間に挿入された帯部５０の部位が、バックル本体部５５０に対して回転固定部５５１の一部により押さえつけられ固定される。なお、バックル５５を帯部５０に取り付ける方法は、上記の方法に限定されない。例えば、リベット等を使って取り付けても良い。ただし、このときは、帯部５０の下面に存在するリベットの頭部により、尿器首部１１の外表面が傷つけられないように、リベットの頭部を弾性材料などの緩衝材でカバーする。
【００７７】
補助装着受け部５３は、図７に示すように、帯部５０の上面に取り付けられるが、帯部５０の長手方向において、バックル５５を取り付ける端部とは反対側の端部近傍、即ち装着補助具５を尿器１に取り付ける際に、帯部５０の、バックル５５に挿入されバックル５５内を通過する部位、及び装着補助具５を尿器首部１１に取り付けるとき、バックル５５に挿入され、これを通過してバックル５５から出てくる帯部５０の下方に位置することになる帯部５０の部位及びその近傍の帯部５０の部位には補助装着受け部５３は配置されない。補助装着受け部５３の長さと尿袋２の装着部２３の周方向の長さの少なくともいずれか一方を大きくすることによる効果については、図６に関連して説明した通りである。
【００７８】
滑り止め部５４は、図６に示す装着補助具５の場合と同様に帯部５０に取り付けられ、同様の機能を有する。
【００７９】
第１の変形例に係る装着補助具５を尿器１に取り付ける方法は次の通りである。まず、帯部５０を尿器首部１１の外表面に巻き回したのち、バックル５５の回転固定部５５１を開いた状態で、帯部５０の長手方向の一端をバックル本体部５５０と回転固定部５５１との間の隙間に挿入する。この挿入された帯部５０の一端をバックル５５に対して引っ張ることにより、帯部５０で、滑り止め部５４を介して尿器首部１１を締め付ける。この状態で回転固定部５５１を閉じる。これにより、帯部５０が、尿器首部１１の外表面を締め付けた状態で、バックル５５により固定され、第１の変形例に係る装着補助具５が尿器１に取り付けられる。
【００８０】
なお、補助装着受け部５３は、バックル５５の取り付けに利用される帯部５０の部位と、帯部５０を尿器首部１１に巻き回して締め付けて固定するためにバックル５５に通過させる帯部５０の部位とを除く帯部５０の上面全面に取り付けてもよい。
【００８１】
尿袋２は、図６に示す装着補助具５に対して使用される第５の変形例に係る尿袋２と同じものであり、図６に示す装着補助具５の場合と同様に、尿袋２に離散的に配置された装着部２３が、尿器１に取り付けられた装着補助具５の帯部５０の上面に取り付けられた補助装着受け部５３に簡便に着脱可能に付着する。これにより尿袋２は、第１の変形例に係る装着補助具５を介して、尿器１に、離散的に、且つ簡便に着脱可能に装着され、図６に示す装着補助具５の場合と同様に、連通経路４が形成される。
【００８２】
＜第２の変形例に係る装着補助具、及び第６の変形例に係る尿袋＞
図８に第２の変形例に係る装着補助具５及び第６の変形例に係る尿袋２を示す。図８（ａ）は第２の変形例に係る装着補助具５の上面図、図８（ｂ）は、図８（ａ）のＣで示す部位の拡大上面図、図８（ｃ）は図８（ａ）のＣで示す部位の拡大正面図、図８（ｄ）は、第６の変形例に係る尿袋２を第２の変形例に係る装着補助具５に装着する状況を示す斜視図、である。
【００８３】
第２の変形例に係る装着補助具５では、図６に示す装着補助具５において、補助装着受け部５３は、柱状形状を有する突起部５１０と突起部取り付け部５２０とを含むように構成されている。突起部５１０は、尿袋２の折り返し部２１に離散的に配置されている後述する穴部２３０に対応して配置されている。帯部装着受け部５１、帯部装着部５２、及び滑り止め部５４は、図６に示す装着補助具５と同様である。
【００８４】
突起部５１０及び突起部取り付け部５２０は、通常、金属やプラスチックなどの樹脂材により形成されるが、尿袋２による引っ張りに耐える強度を有する材料であれば特にその他の制限はない。突起部５１０は、柱状形状を有し、尿袋２の穴部２３０に挿入できるとともに容易に抜けない形状と大きさを有する。尿袋２の穴部２３０がこの突起部５１０に挿入された後、容易に抜けないようにするために、突起部５１０の先端部がその下部よりも若干大きな形状を有しているのが望ましい。突起部取り付け部５２０は、図８（ｃ）に示すように、突起部５１０を帯部５０に取り付けるためのもので、ネジ又はリベットなどを含む。突起部５１０は、その下部を帯部５０の上面側に接触させ、帯部５０に開けられた貫通口を介して、帯部５０の下面でネジ若しくはリベットなどを有する突起部取り付け部５２０により、帯部５０に固定される。突起部取り付け部５２０は、尿器１の外表面を傷つけないように、その表面をカバーする弾性材料によるカバー部を有する。
【００８５】
第２の変形例に係る装着補助具５は、図６に示す装着補助具５と同様に、尿器１に着脱可能に容易に装着される。
【００８６】
第２の変形例に係る装着補助具５に簡便に着脱可能に装着するために使用される尿袋２は、図８（ｄ）に例示する第６の変形例に係る尿袋２である。第６の変形例に係る尿袋２は、実施の形態１で説明した各種変形例を含む尿袋２において、装着部２３を穴部２３０としたものである。図８（ｃ）に示すように、穴部２３０は突起部５１０を貫通させることができる程度の径を有し、突起部５１０の配置位置に略対応しうる位置に配置されている。
【００８７】
第６の変形例に係る尿袋２は、図８（ｄ）に一点鎖線で示すように、穴部２３０を、突起部５１０に押し込むことにより装着補助具５に装着され、穴部２３０を、突起部５１０から引き外すことにより装着補助具５から取り外すことができる。このように、第６の変形例に係る尿袋２は、尿器１に着脱可能に取り付けた第２の変形例に係る装着補助具５を介して、尿器１に、離散的に且つ簡便に着脱可能に装着され、図６に示す装着補助具５の場合と同様に、連通経路４が形成される。
【００８８】
装着補助具５は、径の異なる尿器首部１１を有する尿器１に対しても、図６において説明したように着脱可能に装着することができる。しかし、その場合は取り付ける尿器１に応じて突起部５１０の周方向の位置が変化するため、尿袋２の穴部２３０の対応する位置が異なってしまう。位置の変化が小さい場合は、尿袋２はフレキシブルな材質であることから、尿袋２の方で調整して穴部２３０を突起部５１０に装着することは可能である。しかし、突起部５１０の位置の変化が大きい場合は、帯部５０の長さ方向に配置されたそれぞれの突起部５１０の近傍に更に複数の突起部５１０を配置する。これにより、尿袋２の穴部２３０の位置が変わらなくても尿器首部１１の径の違いに対応して装着補助具５を簡便に装着することができ、且つ尿袋２も装着補助具５を介して、尿器１に、これまでより簡便に、着脱可能に装着できる。突起部５１０を増やす代わりに、尿袋２の穴部２３０を周方向に突起部５１０の場合と同様に増やしてもよいし、突起部５１０と穴部２３０とを共に増やしてもよい。ただし、尿袋２の穴部２３０の数を増やす場合は、本願の実施の形態３で後述するような補強部２７を有する尿袋２にした方がよい。
【００８９】
＜第３の変形例に係る装着補助具＞
図９（ａ）に、第３の変形例に係る装着補助具５の上面図、図９（ｂ）に、図９（ａ）に示すＤ−Ｄ方向から見たときの、第３の変形例に係る装着補助具５の拡大側面図を示す。第３の変形例に係る装着補助具５は、図９（ａ）に示すように、図６に示す装着補助具５において、補助装着受け部５３を、尿袋挟み込み固定具５８としたものである。他の構成は図６に示す構成と同様である。
【００９０】
尿袋挟み込み固定具５８は、尿袋２の尿袋開口端２２の近傍を挟み込み固定するためのもので、帯部５０の長手方向に少なくとも１個、帯部５０に取り付けられ、固定されている。図９（ｂ）に示す例は、尿袋挟み込み固定具５８は、バックルを流用して構成したもので、挟み込み本体部５８０と、回転固定部５８１と、挟み込み本体部５８０を帯部５０に固定するネジやリベットなどの取り付け具とを備える。回転固定部５８１は、挟み込み本体部５８０に対して一方の側が回転自在に固定され、他方の側が回転により開閉する。回転固定部５８１の他方の側が閉じたとき両者は互いに仮止め固定され、両者の間に挿入された尿袋２の部位を尿袋挟み込み固定具５８で固定する。回転固定部５８１の他方の側を開けたとき挟み込まれて固定された尿袋２の部位は尿袋挟み込み固定具５８から開放される。図９（ａ）に示す例では、尿袋挟み込み固定具５８は、帯部５０の長手方向に２個、取り付け具で取り付けられ、取り付け具は、帯部５０の裏の面で、尿器１の外表面を傷つけないように、ゴム等の弾性材料でカバーされている。尿袋挟み込み固定具５８は、回転固定部５８１の回転により開口する部位が、帯部５０の長手方向に直交する方向、即ち図９に示すＹ方向とは逆の方向に向くように取り付けられている。尿袋挟み込み固定具５８が複数個取り付けられているときは、それぞれの回転固定部５８１の回転により開口する部位は、同じ方向を向くように取り付けられている。なお、尿袋挟み込み固定具５８を帯部５０に取り付ける方法はどのような方法であってもよく、上記の方法に限定されない。尿袋挟み込み固定具５８は、尿袋２を固定するという点で、図６及び７で説明した補助装着受け部５３に相等する。
【００９１】
第３の変形例に係る装着補助具５は、図６に示す装着補助具５と同様に、尿器１に着脱可能に容易に装着される。その際、第３の変形例に係る装着補助具５は、回転固定部５８１の回転により開口する側が尿器開口端１２の側に来るように尿器首部１１に装着される。
【００９２】
第３の変形例に係る装着補助具５に対応して使用される尿袋２は、例えば、実施の形態１で説明した各種の尿袋２において装着部２３を省いた第７の変形例に係る尿袋２である。図９（ｂ）は、このような尿袋２を、第３の変形例に係る装着補助具５に装着する様子を示している。尿袋挟み込み固定具５８は、第７の変形例に係る尿袋２の折り返し部２１の切り欠かれた部位でない尿袋開口端２２近傍の部位を、尿袋挟み込み固定具５８の回転固定部５８１と挟み込み本体部５８０とで挟み込み固定する。これにより、尿袋２が第３の変形例に係る装着補助具５に装着される。図９（ｂ）では、第７の変形例に係る尿袋２の尿袋挟み込み固定具５８で挟み込まれる部位が、挟み込み部２６として示されている。このようにして、第７の変形例に係る尿袋２は、第３の変形例に係る装着補助具５を介して、尿器１に、離散的に且つ簡便に着脱可能に装着され、図６に示す装着補助具５の場合と同様に、連通経路４が形成される。
【００９３】
＜第４の変形例に係る装着補助具＞
図１０（ａ）に、第４の変形例に係る装着補助具５の上面図、図１０（ｂ）に、図１０（ａ）に示すＤ−Ｄ方向から見たときの、第４の変形例に係る装着補助具５の拡大側面図を示す。第４の変形例に係る装着補助具５は、図１０（ａ）に示すように、図９に示す第３の変形例に係る装着補助具５において、尿袋挟み込み固定具５８の取り付け位置を、帯部５０の長手方向に対して、直交する方向にずらしたものである。第４の変形例に係る装着補助具５は、尿袋挟み込み固定具５８の取り付け位置をずらすために、延伸部５００とカシメ部５６とを備え、その他の構成要素については、第３の変形例に係る装着補助具５の構成と同様の構成を備える。
【００９４】
延伸部５００は、図１０（ａ）に示すように、帯部５０の長手方向に対して直交する方向に延びた、予め定められた幅及び長さを有する帯状の部位で、帯部５０と一体に形成されている。なお、延伸部５００は、帯部５０に取り付けた、帯部５０とは別個のものであっても良い。帯部５０と一体のものである場合は、延伸部５００は、帯部５０と同じ材料で形成され、別個のものであるときは帯部５０と同じ材料でもよいし、樹脂系材料、繊維素材、金属材料などの別の材料で形成されてもよい。
【００９５】
カシメ部５６は、尿袋挟み込み固定具５８を延伸部５００に取り付けるためのものである。尿袋挟み込み固定具５８は、図７に示す、第１の変形例に係る装着補助具５において、バックル５５が帯部５０の長手方向の一端に取り付けられるときと同様に、カシメ部５６を使って、延伸部５００の一端に取り付けられる。なお、尿袋挟み込み固定具５８を延伸部５００に取り付ける方法は、どのような方法であっても良く、例えば、図９に示したようなネジ又はリベットなどの方法で延伸部５００に取り付けられてもよい。  
【００９６】
第４の変形例に係る装着補助具５を尿器１に装着する方法、使用される尿袋２、及び尿袋２を第４の変形例に係る装着補助具５に装着する方法は、それぞれ、図９に示す第３の変形例に係る装着補助具５の場合と同様である。尿袋挟み込み固定具５８は、尿袋を固定するという点で補助装着受け部５３に相等する。第４の変形例に係る装着補助具５は、図１０（ｂ）に示すように、尿袋２を保持するが、この保持方法は、基本的には図９（ｂ）に示す方法と同じである。従って、第４の変形例に係る装着補助具５を利用して、これに対応する尿袋２を尿器１に装着する場合も、図６に示す装着補助具５の場合と同様に、連通経路４が形成される。
【００９７】
第４の変形例に係る装着補助具５では、尿袋挟み込み固定具５８が、尿器首部１１の外表面を締め付けるための帯部５０から離れた位置に配置されるので、第３の変形例に係る装着補助具５のように、帯部５０下面に尿袋挟み込み固定具５８の取り付け用の突起部が存在しない。そのため、装着用補助具５は、尿器表面を傷つけることなく、また、摩擦係数も大きくなるため滑りにくく、より安定して尿器首部１１に固定される。
【００９８】
＜第５の変形例に係る装着補助具＞
図１１に第５の変形例に係る装着補助具５を示す。図１１（ａ）は第５の変形例に係る装着補助具の上面図、図１１（ｂ）は第５の変形例に係る装着補助具の正面図、図１１（ｃ）は尿器に取り付けた状態の第５の変形例に係る装着補助具の斜視図、である。
【００９９】
図１１（ａ）、（ｂ）に示す第５の変形例に係る装着補助具５は、図６に示す装着補助具５又は図６に関連して説明した装着補助具５に接続部５０１と把手取り付け部５９とを付加したものである。
【０１００】
接続部５０１は、帯部５０と把手取り付け部５９とを接続する部位で、予め定められた幅と長さで、帯部５０の長手方向に直交する方向の側に延伸した部位である。接続部５０１は、図１１に示すように、帯部５０から延伸し、その先端近傍の部位が、その前の延伸した面に対して折れ曲がった部位、若しくは折り曲げられ得る部位とで構成される。以下では接続部５０１のこのように折れ曲がった形状を略Ｌ字型形状と呼ぶことにする。図１１に示す接続部５０１は帯部５０と一体に形成された例であるが、帯部５０とは別個のものとして帯部５０に取り付けられる部位であってもよい。接続部５０１が帯部５０とは別個のものである場合は、その材料として、繊維素材、樹脂系材料、金属材料などが使用可能である。接続部５０１として、樹脂系材料、金属材料等、可撓性の乏しい材料が使用されるときは、接続部５０１は予め略Ｌ字型形状に加工されたものとする。
【０１０１】
把手取り付け部５９は、装着補助具５を尿器１の把手１３に取り付けるための部位で、第２帯部５９０と、第２帯部５９０の一方の表面に取り付けられた第２装着部５９１と、他方の表面に取り付けられた第２装着受け部５９２と、を備える。
【０１０２】
第２帯部５９０は、帯部５０と同様に可撓性の材料で形成された帯状の部材である。図１１（ａ）、（ｂ）に示すように、第２帯部５９０は、帯部５０の長手方向に直交する方向に延伸した部位である接続部５０１の一方の端部の略Ｌ字型に折り曲げられた部位にネジやリベット等の締結具で締結されている。この締結具は弾性材でカバーされていることが望ましい。なお、第２帯部５９０は接続部５０１と一体に形成されたものであってもよい。
【０１０３】
第２装着部５９１と第２装着受け部５９２とは、互いに対して着脱可能な装着性を有する部位で、例えば面ファスナーで構成され、図１１（ａ）、（ｂ）に示すように、第２帯部５９０の、長手方向の一方の端部の一方の表面と、他方の端部の他方の表面に、それぞれ取り付けられている。なお、このそれぞれの取り付け位置は第２帯部５９０を例えば尿器１の把手１３に巻き回して重ね合わすことのできる位置であれば第２帯部５９０の長手方向のどの位置であっても良い。
【０１０４】
第５の変形例に係る装着補助具５を尿器１に取り付ける方法は次の通りである。まず、第２帯部５９０を、尿器首部１１に近い位置で把手１３に巻き回す。次に、第２装着部５９１と第２装着受け部５９２とを互いに付着させる。これにより、把手取り付け部５９を把手１３に取り付ける。次に、図６で説明したように、帯部５０を尿器首部１１の外表面に巻き回して締め付け、帯部装着部５２と帯部装着受け部５１とを付着させる。以上の処理により、第５の変形例に係る装着補助具５が尿器１に容易に着脱可能に取り付けられる。
【０１０５】
以上の取り付け方法において、把手取り付け部５９を把手１３に取り付ける処理を、帯部５０を尿器首部１１の外表面に取り付ける処理の後に実行してもよい。ただし、このときは、接続部５０１の帯部５０からの延伸の長さに応じて、帯部５０を把手１３の近傍の尿器首部１１の外表面に取り付けることに留意する必要がある。なお、帯部５０と第２帯部５９０との間の距離、即ち、接続部５０１の略L字型の帯部５０からの延伸長さは、尿器首部１１に対する把手１３の配置を勘案した値に設定される。
【０１０６】
以上説明したように、第５の変形例に係る装着補助具５は、尿器首部１１の外表面に取り付けられると共に、尿器１の把手１３にも取り付けられる。即ち、第５の変形例に係る装着補助具５は、着脱可能に容易に、二重に尿器１に取り付けられている。なお、把手取り付け部５９を把手１３に着脱する方法は、上記の方法に限らない。例えば面ファスナーを、オス型スナップフィットとメス型スナップフィットとで置き換えてもよいし、その他の同様な締結手段で置き換えてもよい。帯部５０、帯部装着受け部５１、帯部装着部５２、及び滑り止め部５４は、装着補助具５を尿器１に取り付けるための第１の取り付け部と呼び、接続部５０１及び把手取り付け部５９は、装着補助具５を尿器１に取り付けるための第２の取り付け部と呼ぶことができる。第１及び第２の取り付け部は全体として取り付け部を構成する。
【０１０７】
第５の変形例に係る装着補助具５に使用される尿袋２は、図６に示す第５の変形例に係る尿袋２である。第５の変形例に係る尿袋２は、図６に示す装着補助具５の場合と同様に、図１１（ｃ）に破線で示すように、尿器１に取り付けられるので、同様に連通経路４が形成される。
【０１０８】
＜第６の変形例に係る装着補助具＞
図１２（ａ）に、第６の変形例に係る装着補助具５の上面図、図１２（ｂ）に第６の変形例に係る装着補助具５の正面図を示す。図１２（ａ）は、装着補助具５の取り付け対象となる尿器首部１１を、尿器開口端部１２の位置を明示して、破線で示す。
【０１０９】
第６の変形例に係る装着補助具５は、円環部５０２と、円環部５０２の外表面に取り付けられた補助装着受け部５３と、円環部５０２の内表面に取り付けられた滑り止め部５４と、把手取り付け部５９と、円環部５０２に対して把手取り付け部５９を接続する接続部位である接続部５０１とを備える。
【０１１０】
円環部５０２は、図６における帯部５０を円環状にしたもので、図１２（ｂ）に示すように、略円環形状であり、その周方向の長さの一部が、円環の軸方向、即ち図１２に示すＹ方向にわたり切り欠かれた形状を有する。以下では、切り欠かれることにより円環部５０２に生じる空隙部を補助具切り欠き部５０３と呼ぶ。円環部５０２は、全体として、図１２（ｂ）に矢印で示す方向、すなわち、補助具切り欠き部５０３のＸ方向の幅を拡大・縮小する方向に、ばね性を有するように、金属板又は樹脂板等の部材で形成されている。
【０１１１】
接続部５０１は、図１２（ａ）、（ｂ）に示すように、円環部５０２から、円環部５０２の周方向に直交する方向、すなわち円環部５０２の軸方向に延伸し、その先端部が円環部５０２の外向き径方向に折り曲げられた略Ｌ字型の部位である。接続部５０１は補助具切り欠き部５０３以外の円環部５０２の周方向の任意の位置に配置されてもよい。接続部５０１は、通常、円環部５０２と一体に形成されるが、別体として形成したものを円環部５０２に締結若しくは融着などの方法により取り付けて構成されてもよい。
【０１１２】
補助装着受け部５３は、図６で説明した少なくとも１の補助装着受け部５３と同様のもので、円環部５０２の周方向の長さが制限されたもの、又は図６に関連して説明したように、帯部５０の上表面の、帯部装着受け部５１を除く略全面に取り付けた補助装着受け部５３と同様に、円環部５０２の周方向の略全面に取り付けられたものであり、例えば面ファスナーで構成される。図１２に示す補助装着受け部５３は、円環部５０２の周方向の略全面に取り付けられた例である。
【０１１３】
滑り止め部５４は、図６で説明した滑り止め部５４と同様であり、円環部５０２の内表面上に取り付けられる。なお、円環部５０２の略円環形状の内径は、滑り止め部５４の内表面を含めて、尿器首部１１の外径よりも小さく、補助具切り欠き部５０３を広げることにより尿器首部１１を円環部５０２の内側に挿入することができる大きさであり、且つ、挿入した尿器首部１１を、滑り止め部５４の内表面を介して、円環部５０２のばねによる力で予め設定した締め付け力の範囲内で締め付けられるような大きさに形成されている。
【０１１４】
把手取り付け部５９は、図１１に示す第５の変形例に係る装着補助具５の把手取り付け部５９と同じものである。ただし、第２帯部５９０を接続部５０１と一体に形成することは、この場合も可能ではあるが、好ましくはない。それは、接続部５０１が円環部５０２と同じ材料、即ち金属板又は樹脂板等の部材で形成されているため、これらの部材が可撓性を有しているとしても、第２帯部５９０を把手１３に巻き回して装着するという処理に若干難があるからである。好ましくは、第２帯部５９０は、接続部５０１とは別体で、よりフレキシブルな材料で形成されたものとするのが好ましい。把手取り付け部５９は、接続部５０１の端部に、図１２（ａ）、（ｂ）に示すような配置で、すなわち、円環部５０２から、その軸方向に一定の長さ張り出した位置に取り付けられている。なお、図１２は、把手取り付け部５９を、補助具切り欠き部５０３の両端部から円周上で略等しい距離に配置した例であるが、これに限る必要はなく、異なる距離に配置してもよい。
【０１１５】
第６の変形例に係る装着補助具５は、尿器１に、次のようにして取り付けられる。まず、把手取り付け部５９が、尿器開口端１２の反対側に来るような配置にして、尿器首部１１を円環部５０２内に挿入する。挿入は、円環部５０２の補助具切り欠き部５０３を広げた状態で、尿器開口端１２の側から、円環形状の軸方向に沿って、尿器首部１１を円環部５０２内に挿入するか、又は、補助具切り欠き部５０３の開口の大きさによっては、補助具切り欠き部５０３を広げた状態で、円環形状の軸に直交する方向に、尿器首部１１を補助具切り欠き部５０３に対して押し込んで円環部５０２内に挿入する。尿器首部１１の尿器開口端１２が大きく広がっている女性用の尿器１の場合には、後者の方法により取り付けるのが好ましい。次に、把手取り付け部５９を把手１３に巻きまわして取り付ける。その詳細は、図１１に示す第５の変形例に係る装着補助具５について説明した方法と同じである。
【０１１６】
第６の変形例に係る装着補助具５は、円環部５０２が、そのばね力により、滑り止め部５４を介して尿器首部１１の外表面に取り付けられ、更に、把手取り付け部５９が把手１３に取り付けられることにより、容易に着脱可能に、二重に尿器１に取り付けられる。なお、このような装着補助具５の場合、円環部５０２及び滑り止め部５４は、装着補助具５を尿器１に取り付けるための第１の取り付け部を構成し、接続部５０１及び把手取り付け部５９が、装着補助具５を尿器１に取り付けるための第２の取り付け部を構成する。第１及び第２の取り付け部は全体として取り付け部を構成する。
【０１１７】
尿袋２には、図６に示す装着補助具５の場合に使用される第５の変形例に係る尿袋２が使用され、図６に示す装着補助具５の場合と同様に尿器１に装着されるので、同様に連通経路４が形成される。
【０１１８】
なお、第６の変形例に係る装着補助具５は、二重に尿器１に取り付けられるので、取り付けの信頼性が向上すると言う点で、図１１に示す第５の変形例に係る装着補助具５と同様であるが、二重の取り付けのうち一方については、尿器首部１１を円環部５０２内に挿入するだけで尿器１への取り付けが完了するため、取り付け作業がより簡便化できる。なお、装着補助具５は、把手取り付け部５９と接続部５０１とを省いてもよい。この場合の装着補助具５は、円環部５０２のバネの力のみで、尿器１に着脱可能に簡便に取り付けられる。
【０１１９】
＜第７の変形例に係る装着補助具＞
図１３（ａ）に、第７の変形例に係る装着補助具５の上面図、図１３（ｂ）に第７の変形例に係る装着補助具５の正面図、図１３（ｃ）に、図１３（ａ）に示すＥ−Ｅ方向からの、第７の変形例に係る装着補助具５の拡大側面図、を示す。
【０１２０】
第７の変形例に係る装着補助具５は、把手取り付け部５９と、尿袋挟み込み固定具５８と、接続部５０４とを備える。
【０１２１】
把手取り付け部５９は、図１１に示す第５の変形例に係る装着補助具５の把手取り付け部５９と同じもの、また、尿袋挟み込み固定具５８は、図９に示す第３の変形例、又は図１０に示す第４の変形例に係る装着補助具５の尿袋挟み込み固定具５８と、同様のものである。
【０１２２】
接続部５０４は、使用される材料、形状とも第５又は第６の変形例に係る装着補助具５の接続部５０１と同様のものであり、その一端には、把手取り付け部５９が取り付けられている。異なるのは、接続部５０４の他端に、尿袋挟み込み固定具５８が取り付けられていることである。図１３（ｃ）に示す接続部５０４への尿袋挟み込み固定具５８の取り付け方法は、図９に示す帯部５０への尿袋挟み込み固定具５８の取り付け方法と同様の方法か、又は図１０に示す延伸部５００への尿袋挟み込み固定具５８の取り付け方法と同様に、カシメ部５６を使って取り付ける方法であってもよい。
【０１２３】
第７の変形例に係る装着補助具５は、図１１に示す第５の変形例に係る装着補助具５の把手取り付け部５９と同様に、尿器１の把手１３に把手取り付け部５９を巻き回して、取り付けることにより、尿器１に装着される。尚、接続部５０４と把手取り付け部５９とは、装着補助具５を尿器１の外表面に取り付けるための第２の取り付け部と呼ぶことができ、第２の取り付け部だけで取り付け部が構成される。尿袋挟み込み固定具５８は、尿袋を固定するという点で補助装着受け部５３に相等する。
【０１２４】
対応する尿袋２は、図９に示す第３の変形例に係る装着補助具５、又は図１０に示す第４の変形例に係る装着補助具５の場合に使用される第７の変形例に係る尿袋２であり、尿袋開口端２２の近傍の部位である挟み込み部２６が尿袋挟み込み固定具５８で保持される。第７の変形例に係る装着補助具５は、尿袋挟み込み固定具５８を１個しか備えていないので、尿袋２は、１個の尿袋挟み込み固定具５８を介して、装着補助具５に一箇所で挟まれることにより尿器１に装着されるので、当然に連通経路４が形成される。
【０１２５】
第７の変形例に係る装着補助具５を使用する場合は、尿袋２は、１個の尿袋挟み込み固定具５８で保持されているだけであり、更に、尿袋挟み込み固定具５８自体も把手１３に把手取り付け部５９で保持されているだけなので、尿袋２は、より簡便に尿器１に装着される。
【０１２６】
図１３に例示する把手取り付け部５９は、図１１（ｃ）に示すように、把手１３の、尿器首部１１に近い側に巻き回して固定するように構成されているが、これに限らず、把手１３の他の部位に取り付けるように構成されたものであってもよい。例えば、把手取り付け部５９は、図１に示す把手１３のうち、尿器首部１１から立ち上がり、尿器本体部１０に向かう最初の折れ曲がった部位の前後を覆うように把手１３に取り付けるように構成されたものにする。把手取り付け部５９の、把手１３の折れ曲がった部位を覆う部分は、スナップフィット又は面ファスナー等により把手１３の当該部位に取り付ける。折れ曲がった部位に取り付けることにより、把手取り付け部５９が把手１３の延伸方向にずれにくくなる。そのため、尿器１への尿袋２の装着が安定化する。
【０１２７】
図６から１３で説明した装着補助具５による尿袋２の保持は、これまで説明したものに限定されない。例えば、尿袋２の装着部２３と装着補助具５の補助装着受け部５３とは、一方がオス型スナップフィット、他方がメス型スナップフィットとしてもよい。また、一方がフック型、他方がフックを受けるフック受け型のものであってもよく、その他の保持方法であっても良い。これらのいずれの方法によっても、それぞれの装着補助具５に対応する尿袋２は、該装着補助具５を装着した尿器１に、簡便に着脱可能に装着でき、装着した際に、それぞれの箇所での説明と同様に、連通経路４が形成される。
【０１２８】
＜第８の変形例に係る装着補助具＞
これまで、装着補助具５は、尿器１に着脱可能に装着されるものとして説明したが、第８の変形例に係る装着補助具５は、接着により尿器１に固定して取り付けられるように構成されたものである。
【０１２９】
そのような装着補助具５は、具体的には、図６、図８、図９、図１０、又は図１１に示す装着補助具５において、帯部装着部５２、帯部装着受け部５１、滑り止め部５４をなくしたもの、若しくは図１２に示す装着補助具５において、滑り止め部５４をなくし、帯部５０又は円環部５０２の尿器首部１１の外表面に相対する面の全面又は一部の面に、尿器首部１１の外表面に対して接着性を有する帯部接着部を付加したものである。把手取り付け部５９は省いてもよい。このときの帯部５０若しくは円環部５０２の材料は、尿器首部１１に巻き回しでき、帯部接着部を取り付けできるものであればどのようなものでもよい。また、円環部５０２を尿器首部１１に接着する場合は、円環部５０２のばね性は特に問わない。
【０１３０】
また、帯部５０若しくは円環部５０２は、尿器首部１１の外表面の周上に巻き回して接着するものではなくて、円弧状の形状を有し、尿器首部１１の外表面の周上の一部に接着されるように構成されたものであってもよい。
【０１３１】
いずれの装着補助具５においても、図６、図８、図９、図１０、図１１若しくは図１２のそれぞれの装着補助具５の場合と同様に、それぞれの装着補助具５に対応する尿袋２は、該装着補助具５を接着した尿器１に、簡便に着脱可能に装着でき、装着した際に、それぞれの箇所での説明と同様に、連通経路４が形成される。
【０１３２】
第８の変形例に係る装着補助具５では、通常、把手取り付け部５９は省かれるが、尿器首部１１の外表面に対する帯部５０又は円環部５０２の接着性が、経時的な変化により低下してしまい、装着補助具５が尿器首部１１から脱落してしまう可能性がないわけではない。把手取り付け部５９を尿器１の把手１３に取り付けておくことによりこのような事態を防止することができる。
【０１３３】
これまで説明した各種変形例に係る装着補助具５と、それぞれに対応した尿袋２とを組み合わせて使用して、当該尿袋２を尿器１に装着すると、いずれの場合も、尿袋２は、通常市販されているものを含む尿器１に、簡便に着脱可能に装着でき、連通経路４が形成されるため、尿袋２の容量を尿器１の容量の範囲内で有効に活用でき、尿器１の再利用に伴う作業がこれまでよりも簡便化される。また、把手取り付け部５９を利用して、装着補助具５を、尿器１に二重に取り付けた場合、装着補助具５の尿器１への取り付けの信頼性が向上し、不測の事態により、装着補助具５が尿器１から外れる恐れを低減することができる。その結果、尿器１から尿が外部に漏れる、又は尿器１の内部に尿が漏れるという状況に至る恐れが、二重の取り付けをしない場合に比べて低減する。
【０１３４】
なお、実施の形態２に係る装着補助具５の帯部５０又はこれに対応する部位を尿器首部１１に装着するための構成要素は、これまで説明した変形例の間で相互に入れ替えた構成にしてもよい。更に、把手取り付け部５９の有無についても、図１３に示す例を除き、それぞれの装着補助具５で選択可能である。なお、尿器１への装着補助具５の装着は、これまで説明した方法に限定されず、他の方法で装着してもよい。また、尿袋２を装着補助具５に保持するための構成についても、各装着補助具５間で置き換える変形が可能である。ただし、この場合は使用される尿袋２は、これまで説明したように、変形された装着補助具５に対応した尿袋２である。このような変形を加えても、尿袋２の装着により、連通経路４が形成されるので、更なる変形に係る装着補助具５は、これに対応した尿袋２を組み合わせて使用することにより、当該尿袋２を尿器１に簡便に着脱可能に装着でき、且つ、尿袋２の容量を尿器１の容量の範囲内で有効に活用でき、尿器１の再利用に伴う作業がこれまでよりも簡便化される。
【０１３５】
これまでの説明では、装着補助具５は、尿器首部１１の外表面又は把手１３に装着されるとしたが、必ずしもこれに限定されず、尿器本体部１０の外表面に装着してもよい。具体的には、図６〜１０に示す装着補助具５、及び図１２に示す装着補助具５のいずれかを尿器本体部１０に装着する。装着方法はそれぞれの装着補助具５を尿器首部１１に装着する場合と同じである。装着補助具５を尿器１に装着する際に、帯部装着受け部５１と帯部装着部５２とが重なる位置は、尿器１の下面を避けるなど、尿器１の設置姿勢を考慮した位置とするのが好ましい。このときに尿器１に装着される尿袋２は、各装着補助具５のところで説明した尿袋２であるが、折り返し部２１の折り返しの長さは、各装着補助具５を尿器首部１１に装着したときよりも長くなる。装着補助具５を尿器本体部１０に装着するケースは尿器１の形状によって生じうる。
【０１３６】
このような場合であっても、これまで説明したように尿袋２を尿器１に離散的に装着することにより、連通経路４が形成される。従って、このような装着補助具５を使用することにより、尿袋２は、尿器１に、簡便に着脱可能に装着でき、且つ、尿袋２の容量を尿器１の容量の範囲内で有効に活用でき、尿器１の再利用に伴う作業がこれまでよりも簡便化される。
【０１３７】
（実施の形態３）
実施の形態３は、実施の形態１及び２で説明した各種尿袋２に補強部を付加した更なる変形例に係る尿袋２を示す。図１４（ａ）、（ｂ）、及び図１５（ａ）、（ｂ）、（ｃ）は、それぞれ、第８から第１２の変形例に係る尿袋２を示す。
【０１３８】
図１４（ａ）に、第８の変形例に係る尿袋２の尿袋開口端２２の近傍の正面図と断面図を示す。図１４（ａ）の左側の図は、正面図、右側の図は、Ｆ−Ｆ断面図である。第８の変形例に係る尿袋２は、図８（ｄ）の第６の変形例に係る尿袋２において、穴部２３０の周囲に補強部２７を付加したものである。第８の変形例に係る尿袋２の装着対象となる尿器１は、突起部５１０を備えた装着補助具５、例えば図８に示す第２の変形例に係る装着補助具５、を取り付けた尿器１である。
【０１３９】
補強部２７は、尿袋２よりも剛性が高く、且つ可撓性をも有するシート状の、例えば樹脂などの材質で形成され、穴部２３０に対応する穴を有する。補強部２７は、尿袋開口端２２の近傍で、穴部２３０を含む領域に、穴の位置合わせをして、尿袋２の外表面、内表面、又は両表面に、接着剤による貼り付け、圧着、熱溶着などの方法に依り取り付けられる。補強部２７は、穴部２３０の補強を目的としているので、その限りにおいて、その形状、厚さ、及び大きさは、特に限定される必要はない。尿袋２の穴部２３０の周囲に補強部２７が存在するようにするためには、穴部２３０に対応する穴のない補強部２７を取り付けた後に、補強部２７を含めて尿袋２に穴部２３０を形成してもよい。なお、補強部２７は、尿袋２の製造時に、他の部位よりも厚く作られた部位としてもよい。
【０１４０】
図８（ｂ）及び（ｃ）に示すように、尿袋２の穴部２３０に突起部５１０を挿入することにより、尿袋２が尿器１に装着される場合、尿袋２に尿が貯留されると、穴部２３０には、突起部５１０を介して引っ張り応力が働く。補強部２７は、この引っ張り応力に対する穴部２３０の強度を補強するためのものである。なお、補強部２７の材質を、可撓性を有するものとしたのは、尿袋２を尿器１に装着する際に、折り返し部２１を折り返す作業の便を図るためであり、更に、補強部２７を取り付けた部位の境界近傍の尿袋２に過度の応力の集中が起こりにくいようにするためである。
【０１４１】
図１４（ｂ）に第９の変形例に係る尿袋２の尿袋開口端２２の近傍の正面図と断面図を示す。第９の変形例に係る尿袋２は、図９に示す第３の変形例に係る装着補助具５、図１０に示す第４の変形例に係る装着補助具５、及び図１３に示す第７の変形例に係る装着補助具５に対して共通に使用されうる第７の変形例に係る尿袋２の更なる変形例である。図１４（ｂ）に示すように、第９の変形例に係る尿袋２は、尿袋挟み込み固定具５８で挟み込まれる部位である挟み込み部２６を含む領域に取り付けられた補強部２７を有する。補強部２７は、図１４（ａ）に示す第８の変形例に係る尿袋２の補強部２７と同様の材質で形成されたものであるが、穴部２３０に対応する穴は形成されていない。
【０１４２】
尿袋２が、尿袋挟み込み固定具５８を介して尿器１に装着され、使用されるときに、補強部２７がない場合は、尿袋２の挟み込み部２６の外周近傍に引っ張り応力が働くため、尿袋２が挟み込み部２６の近傍から破損し、それにより貯留された尿が、尿袋２又は尿器１から外部に漏れ出す恐れがある。補強部２７は、この引っ張り応力に対する挟み込み部２６近傍の強度を補強するためのものである。なお、補強部２７の材質を、図１４（ａ）に示す第８の変形例に係る尿袋２の補強部２７と同様に、可撓性を有するものとしたのは、補強部２７の取り付けた部位の境界近傍の尿袋２に過度の応力の集中が起こりにくいようにするためである。
【０１４３】
図１４（ａ）、（ｂ）に示された、第８及び第９の変形例に係る尿袋２は、いずれも装着補助具５に保持される部位が補強部２７で補強されたものなので、装着補助具５を介して尿器１に装着された上記変形例に係る尿袋２は、使用の際に破損しにくくなるという効果を奏することができる。
【０１４４】
図１５（ａ）及び（ｂ）にそれぞれ示す第１０及び第１１の変形例に係る尿袋２は、図１４（ａ）に示す第８の変形例に係る尿袋２の補強部２７、及び図１４（ｂ）に示す第９の変形例に係る尿袋２の補強部２７を、それぞれ、尿袋２の切り欠き部２５の間の切り欠かれていない部位の略全体の領域にまで広げたものである。図１５（ａ）に示す第１０の変形例に係る尿袋２が使用される尿器１は、突起部５１０を備えた装着補助具５、例えば図８に示す第２の変形例に係る装着補助具５、を取り付けた尿器１である。図１５（ｂ）に示す第１１の変形例に係る尿袋２が使用される尿器１は、図９に示す第３の変形例に係る装着補助具５、図１０に示す第４の変形例に係る装着補助具５、及び図１３に示す第７の変形例に係る装着補助具５のいずれか、又はそれと同様な装着補助具５が取り付けられた尿器１である。
【０１４５】
図１５（ｃ）に示す第１２の変形例に係る尿袋２は、図２、図４（ａ）〜（ｃ）、図５（ｂ）又は（ｃ）に例示する、実施の形態１に係る尿袋２の装着部２３、又は第５の変形例に係る尿袋２の装着部２３を、図１５（ｂ）に示す第１１の変形例に係る尿袋２の補強部２７の上に、貼り合わせなどの方法に依り、取り付けたものである。
【０１４６】
図１５（ａ）〜（ｃ）に示す尿袋２は、いずれも補強部２７を備えているため、尿袋２を尿器１に装着して使用したときの尿袋２の破損を防止する効果を有する。更に、この尿袋２の、尿袋開口端２２の近傍は、切り欠き部２５を除き、可撓性を有しつつも剛性が高くなっているので、持ちやすい状態にあり、切り欠き部２５の存在も相まって、広げやすくなっている。そのため、このような尿袋２使用することにより、尿袋２を尿器１に装着する際に必要な、折り返し部２１を尿器開口端１２で尿器首部１１の外表面側に折り返すという処理が容易になる。
【０１４７】
図１４、１５に示す変形例に係る尿袋２は、直接又は装着補助具５を介して間接的に尿器１に装着されたとき、これまでの説明と同様に、いずれにおいても連通経路４が形成される。従って、当該尿袋２を直接又は間接的に尿器１に装着することにより、当該尿袋２は、実施の形態１で説明した効果と同様の効果を奏することができる。
【０１４８】
補強部２７は、これまで説明した構成以外の構成のものであってもよい。例えば、尿袋開口端２２を折り返して袋状にしてその中に図１４又は１５に示す補強部２７を挿入し、その周囲の開口部を溶着などで封じて、補強部２７が折り返して形成した袋の中で動かないようにする。すなわち、補強部２７は、尿袋２の部材で挟まれることにより尿袋２に取り付けられる。この場合、図１４（ａ）、図１５（ａ）に示すような穴部２３０は、補強部２７を袋の中に封じた後に形成される。このようにして補強部２７を取り付けた尿袋２の場合は、補強部２７を封入した後の尿袋２の外部に開口した端部が尿袋開口端２２となる。このような補強部２７を有する尿袋２も、これまで説明した補強部２７を有する尿袋２と同様の効果を奏することができる。
【０１４９】
（実施の形態４）
実施の形態１−３で例示した尿器１は、従来から市販されている尿器１であり、尿器１自体には、尿袋２を、直接に着脱可能に装着する部位を備えていないものであった。実施の形態４では、尿袋２を着脱可能に装着するための尿袋装着受け部を直接に備える尿器１について説明する。図１６は、尿袋装着受け部１４を直接に備える尿器１の尿器首部１１近傍の斜視図の例を示している。なお、尿器１が直接備える尿袋装着受け部１４は、補助装着具５の尿袋装着受け部である補助装着受け部５３と区別するために、以下では尿器装着受け部１４と呼ぶ。尿器装着受け部１４は、尿器首部１１の外表面に少なくとも１個取り付けられている。尿器装着受け部１４が、複数個の場合は、尿器首部１１の外表面の周上に、離散的に配置される。図１６に示す例は、尿器装着受け部１４が４個の場合である。図１６に示す尿器装着受け部１４は、実施の形態２の図８に示す装着補助具５の突起部５１０と同様のものである。
【０１５０】
尿器装着受け部１４は、図８に示すような柱状の突起部である。柱状の突起部は、尿器首部１１の外表面に尿器１と一体に形成されたものであっても良いし、尿器１とは別に製作され、尿器首部１１の外表面に取り付られたものであってもよい。突起部の取り付けは、尿器首部１１の外表面への溶着又は接着による固定、尿器首部１１の外表面に配置した突起部の、尿器首部１１に開けられた穴を介したネジや締結具の圧入等による尿器首部１１の外表面への固定、又は、尿器１の外表面に構造部位を形成し、この構造部位に突起部をスライドさせて圧入することによる尿器首部１１の外表面への固定等による。突起部の材料は、剛性を有するものであればどのようなものでもよいが、その形成又は取り付け方法に依存して決まる場合もある。
【０１５１】
図１６には、尿器１に装着される尿袋２の折り返し部２１が破線で示されている。尿袋２は、折り返し部２１にある穴部２３０に、尿器装着受け部１４を挿入することにより、尿器１に装着される。
【０１５２】
図１６に示すように、突起部の先端部は、先端部に続く柱状部と同じ径か幾分大きい径を有する。突起部の先端部の径が大きくなっている場合は、穴部２３０に挿入された柱状の突起物が、穴部２３０から不用意に外れにくくなり、尿器１への尿袋２の装着状態が不完全又は非装着状態になりにくくなる。
【０１５３】
尿器装着受け部１４は、把手１３に配置されたものであってもよい。尿器装着受け部１４の位置によっては、尿袋２の折り返し部２１は、尿器首部１１の長さより長く折り返す場合があってもよい。また、把手１３に配置された場合、尿器装着受け部１４は、通常は一箇所となり、それに対応して尿袋２の保持も一箇所になる。
【０１５４】
この尿器１には、実施の形態２で説明した第６の変形例に係る尿袋２又は実施の形態３の図１４（ａ）、図１５（ａ）に示す補強部２７を付加した尿袋２が装着されるのが好ましい。尿器１が、上述のように、尿器首部１１の外表面の周上に、少なくとも１つの離散的に配置された尿器装着受け部１４を備え、このような尿袋２を使用することにより、尿袋２の尿器１への簡便な着脱が可能になる。更に、尿袋２を尿器１に装着したとき、実施の形態２の＜第２の変形例に係る装着補助具５、及び第６の変形例に係る尿袋＞の項で説明したことと同様な理由で、尿袋２と尿器１との間に連通経路４が形成される。従って、同項で説明したように、このような尿器１は、尿袋２を尿器１に装着して使用する際に、尿袋２の容量を、尿器１の容量の範囲内で有効に活用することができ、尿器の再利用に伴う作業がこれまでよりも簡便化される。
【０１５５】
なお、尿器装着受け部１４は、図１６に示すものに限定されない。実施の形態２で説明した各種の装着補助具５に取り付けられている尿袋２の保持に使用される部位のいずれかに置き換えてもよい。その際に使用される尿袋２は、既に説明したように、それぞれの装着補助具５と組み合わせて使用される尿袋２である。そのいずれの場合であっても、このような尿器１は、尿袋２を簡便に着脱することができ、尿袋２を尿器１に装着して使用する際に、連通経路４が形成されることにより、尿袋２の容量を、尿器１の容量の範囲内で有効に活用することができ、尿器の再利用に伴う作業がこれまでよりも簡便化される。
【０１５６】
尿器装着受け部１４は、尿器首部１１又は把手１３に限らず、尿器本体部１０の外表面に離散的に配置されたものであってもよく、この場合も、尿袋２の装着部２３を尿器首部１１に装着する場合に比べて、尿袋２の折り返し部２１の長さをより大きくすれば、装着部２３を尿器装着受け部１４に装着することができ、これにより、尿袋２は、尿器１に簡便に着脱可能に装着される。このときも尿器１と装着された尿袋２との間には連通経路４が形成されるため、尿器1は、尿袋２の容量を、尿器１の容量の範囲内で有効に活用することができ、尿器の再利用に伴う作業がこれまでよりも簡便化される。
【０１５７】
尿器１の尿袋装着受け部、即ち尿器装着受け部１４及び、実施の形態２で説明した装着補助具５の尿袋装着受け部、即ち補助装着受け部５３は、共に、対象部位を装着するための装着受け部と呼んでもよい。これまで説明したように、装着受け部が、補助装着受け部５３である場合は、装着受け部は尿器１に間接的に装備されたものであり、装着受け部が、尿器装着受け部１４である場合は、装着受け部は尿器１に直接的に装備されたものである。なお、実施の形態４に係る尿器１は、男性用及び女性用のいずれの尿器であってもよい。
【符号の説明】
【０１５８】
１  尿器
２  尿袋
３  空隙部
４  連通経路（空隙部）
５  装着補助具
１０  尿器本体部
１１  尿器首部
１２  尿器開口端
１３  把手
１４  尿器装着受け部（尿袋装着受け部）
２０  尿袋本体部
２１  折り返し部
２２  尿袋開口端
２３  装着部
２４  折り返し線
２５  切り欠き部
２６  挟み込み部
２７  補強部
５０  帯部
５１  帯部装着受け部
５２  帯部装着部
５３  補助装着受け部（尿袋装着受け部）
５４  滑り止め部
５５  バックル
５６  カシメ部
５８  尿袋挟み込み固定具
５９  把手取り付け部
２３０  穴部  
２５０  コーナー部
２５１  切り欠き底部
５００  延伸部
５０１、５０４  接続部
５０２  円環部
５０３  補助具切り欠き部
５１０  突起部
５２０  突起部取り付け部
５５０  バックル本体部
５５１  回転固定部
５８０  挟み込み本体部
５８１  回転固定部
５９０  第２帯部
５９１  第２装着部
５９２  第２装着受け部
【要約】
【課題】尿器の容量を有効に活用でき、尿器の再利用に伴う作業を簡略化することができる尿袋使用方法、尿袋、装着補助具、尿器を提供する。
【解決手段】尿袋使用方法は、一方が開口した開口端を有する尿袋を、尿器開口端を経由して尿器内部に挿入して使用する尿袋使用方法であって、尿器の開口周長よりも大きな開口周長を有する尿袋を、尿器の内部に挿入し、尿袋の開口端を含む一部の部位を折り返し部として尿器の外部に残し、折り返し部を、尿器の開口端に対して尿器の外表面側に折り返し、尿器の内表面と尿器の内部に挿入された尿袋の外表面との間の空間と尿器の外部とが、折り返し部の表面と尿器の外表面との間の空間を介して連通するように、折り返し部の少なくとも１つの一部の部位を、尿器の外表面に、直接又は間接的に着脱可能に保持することにより、尿袋を尿器に装着することを特徴とする。
【選択図】図１【図１】
0006050540.tif 000002
【図２】
0006050540.tif 000003
【図３】
0006050540.tif 000004
【図４】
0006050540.tif 000005
【図５】
0006050540.tif 000006
【図６】
0006050540.tif 000007
【図７】
0006050540.tif 000008
【図８】
0006050540.tif 000009
【図９】
0006050540.tif 000010
【図１０】
0006050540.tif 000011
【図１１】
0006050540.tif 000012
【図１２】
0006050540.tif 000013
【図１３】
0006050540.tif 000014
【図１４】
0006050540.tif 000015
【図１５】
0006050540.tif 000016
【図１６】
0006050540.tif 000017